(57)【要約】  簡易かつ小さな回路構成により適切なデータのみを光伝送できる光伝送モジュールを実現するため、本発明に係る光伝送モジュール（１）は、電気信号を光信号に変換する発光部（２３）と、該発光部（２３）によって変換された光信号を伝送する光伝送路（４）と、電気伝送路（５）とを有し、入力された所定周波数の電気信号を光信号に変換し上記光伝送路（４）で伝送させる。光伝送モジュール（１）は、所定周波数の電気信号の入力があったか否かという判断を行い、所定周波数以外の電気信号が入力された場合、発光部（２３）の駆動を停止させるように指示する信号判別部（２４）を備える。そして、所定周波数以外の電気信号は、発光部（２３）の駆動停止により、光信号に変換されずに電気伝送路（５）に伝送される。
2008126753.tif 000002
【特許請求の範囲】
【請求項１】
電気信号を光信号に変換する光変換器と、該光変換器によって変換された光信号を伝送する光伝送路と、電気伝送路とを有し、入力された所定周波数の電気信号を光信号に変換し上記光伝送路で伝送させる光伝送モジュールにおいて、
所定周波数以外となる電気信号の入力を検知した場合、上記光変換器に駆動の停止を指示する制御指示部を備え、上記所定周波数以外となる電気信号は、上記光変換器の駆動の停止により、光信号に変換されずに上記電気伝送路により伝送されることを特徴とする光伝送モジュール。
【請求項２】
上記制御指示部は、所定周波数以外となる電気信号の入力を検知している間は上記光変換器に駆動の停止を指示しており、上記所定周波数以外となる電気信号の入力に対する検知がなくなった場合、上記光変換器に駆動の開始を指示することを特徴とする請求の範囲１に記載の光伝送モジュール。
【請求項３】
上記所定周波数は、予め設定された基準となる基準周波数よりも高い周波数であり、
上記制御指示部は、入力された電気信号の周波数が上記基準周波数よりも高いか否かを判断し、該電気信号の周波数が基準周波数以下となる場合、所定周波数以外となる電気信号の入力を検知したとして、上記光変換器に駆動の停止を指示することを特徴とする請求の範囲１または２に記載の光伝送モジュール。
【請求項４】
上記制御指示部は、入力された電気信号の周波数が基準周波数以下となる間は、所定周波数以外となる電気信号の入力を検知しているものとして、上記光変換器に駆動の停止を指示しており、上記入力された電気信号の周波数が基準周波数よりも高い周波数となる場合、上記所定周波数以外となる電気信号の入力に対する検知がなくなったものとして、上記光変換器に駆動の開始を指示することを特徴とする請求の範囲３に記載の光伝送モジュール。
【請求項５】
上記所定周波数となる電気信号の振幅は、予め設定された基準となる基準振幅よりも小さい振幅であり、
上記制御指示部は、入力された電気信号の振幅が上記基準振幅よりも小さいか否かを判断し、該電気信号の振幅が基準振幅以上となる場合、所定周波数以外となる電気信号の入力を検知したとして、上記光変換器に駆動の停止を指示することを特徴とする請求の範囲１または２に記載の光伝送モジュール。
【請求項６】
上記制御指示部は、入力された電気信号の振幅が基準振幅以上となる間は、所定周波数以外となる電気信号の入力を検知しているものとして、上記光変換器に駆動の停止を指示しており、上記入力された電気信号の振幅が基準振幅よりも小さくなる場合、上記所定周波数以外となる電気信号の入力に対する検知がなくなったものとして、上記光変換器に駆動の開始を指示することを特徴とする請求の範囲５に記載の光伝送モジュール。
【請求項７】
上記所定周波数の電気信号は、差動信号として伝送されており、上記所定周波数以外となる電気信号は、シングルエンド信号として伝送されており、
上記制御指示部は、入力された電気信号が差動信号であるか、あるいはシングルエンド信号であるかを判断し、該電気信号がシングルエンド信号である場合、所定周波数以外となる電気信号の入力を検知したとして、上記光変換器に駆動の停止を指示することを特徴とする請求の範囲１または２に記載の光伝送モジュール。
【請求項８】
上記制御指示部は、入力された電気信号がシングルエンド信号である間は、所定周波数以外となる電気信号の入力を検知しているものとして、上記光変換器に駆動の停止を指示しており、上記入力された電気信号が差動信号となる場合、上記所定周波数以外となる電気信号の入力に対する検知がなくなったものとして、上記光変換器に駆動の開始を指示することを特徴とする請求の範囲７に記載の光伝送モジュール。
【請求項９】
入力された電気信号を伝送させる入力伝送路と、
所定周波数以外の電気信号を伝送させる電気伝送路と、
上記入力伝送路を伝送する電気信号を、上記光伝送路に向かう経路と、上記電気伝送路に向かう経路とに分岐させる分岐部と、
上記所定周波数以外の電気信号を通過させる周波数選択部と、を備え、
上記電気伝送路において、上記周波数選択部が上記制御指示部よりも分岐部側となるようにそれぞれが設けられており、
上記制御指示部は上記周波数選択部から入力される電気信号の有無を判定し、該電気信号の入力があると判定した場合、所定周波数以外となる電気信号の入力を検知したとして、上記光変換器に駆動の停止を指示することを特徴とする請求の範囲１または２に記載の光伝送モジュール。
【請求項１０】
上記所定周波数は、光信号に変換されない電気信号の周波数よりも高い周波数であり、上記周波数選択部は、上記所定周波数より小さい周波数の電気信号を通過させるフィルタ回路であることを特徴とする請求の範囲９に記載の光伝送モジュール。
【請求項１１】
上記所定周波数となる電気信号の振幅は、予め設定された基準となる基準振幅よりも小さい振幅であり、
入力された電気信号を伝送させる入力伝送路と、
所定周波数以外の電気信号を伝送させる電気伝送路と、
上記入力伝送路を伝送する電気信号を、上記光伝送路に向かう経路と、上記電気伝送路に向かう経路とに分岐させる分岐部と、
上記基準振幅以上の振幅となる電気信号を通過させる周波数選択部と、を備え、
上記電気伝送路において、上記周波数選択部が上記制御指示部よりも分岐部側となるようにそれぞれが設けられており、
上記制御指示部は上記周波数選択部から入力される電気信号の有無を判定し、該電気信号の入力があると判定した場合、所定周波数以外となる電気信号の入力を検知したとして、上記光変換器に駆動の停止を指示することを特徴とする請求の範囲１または２に記載の光伝送モジュール。
【請求項１２】
上記制御指示部は、電気信号の入力がある間は、所定周波数以外となる電気信号の入力を検知しているものとして、上記光変換器に駆動の停止を指示しており、上記電気信号の入力がなくなった場合、上記所定周波数以外となる電気信号の入力に対する検知がなくなったものとして、上記光変換器に駆動の開始を指示することを特徴とする請求の範囲９〜１１のいずれか1項に記載の光伝送モジュール。
【請求項１３】
上記光伝送路を介して伝送された信号または上記電気伝送路を介して伝送された信号を出力する出力伝送路と、
上記光伝送路と電気伝送路とを、上記出力伝送路に結合させる結合部とを備えることを特徴とする請求の範囲９〜１２のいずれか１項に記載の光伝送モジュール。
【請求項１４】
上記電気伝送路は、
上記分岐部との連結部分であり、かつ上記周波数選択部よりも分岐部側に、高いインピーダンスにより上記光伝送路が上記電気伝送路から分断された状態となるよう機能する第１高入力インピーダンス回路を備えることを特徴とする請求の範囲１３に記載の光伝送モジュール。
【請求項１５】
上記電気伝送路は、
上記結合部との連結部分に、高いインピーダンスにより上記光伝送路が上記電気伝送路から分断された状態となるよう機能する第２高入力インピーダンス回路を備えることを特徴とする請求の範囲１４に記載の光伝送モジュール。
【請求項１６】
上記電気伝送路は、
上記分岐部から上記制御指示部に向かって電気信号を上記第１高入力インピーダンス回路、上記周波数選択部の順に伝送させる第１電気伝送路と、
上記第１電気伝送路とは逆向きに電気信号を伝送させ、上記分岐部と上記制御指示部とを連結する第２電気伝送路とを有し、
上記第２電気伝送路には、上記第１電気伝送路を伝送する電気信号とは逆向きとなる電気信号のみを伝送させることができるとともに、高いインピーダンスにより上記光伝送路が該第２電気伝送路から分断された状態となるよう機能する第３高入力インピーダンス回路を備えており、
上記第２高入力インピーダンス回路を通じて、上記制御指示部から上記結合部に向かって電気信号を伝送させるための第３電気伝送路と、
上記第３電気伝送路とは逆向きに電気信号を伝送するための、上記制御指示部と上記結合部とを連結する第４電気伝送路とを有し、
上記第４電気伝送路には、上記第３電気伝送路を伝送する電気信号とは逆向きとなる電気信号のみを伝送させることができるとともに、高いインピーダンスにより上記光伝送路が該第３電気伝送路から分断された状態となるよう機能する第４高入力インピーダンス回路、該第４高入力インピーダンス回路から出力された電気信号のうち、所定周波数以外の電気信号を通過させ、上記制御指示部に出力する他の周波数選択部を備えることを特徴とする請求の範囲１５に記載の光伝送モジュール。
【請求項１７】
上記電気伝送路によって伝送する電気信号に含まれる情報を読み取る読み取り部と、
上記読み取り部の読み取り結果に応じて、電気伝送路と結合部との連結部分の開閉を行う開閉部とを備えることを特徴とする請求の範囲１３に記載の光伝送モジュール。
【請求項１８】
上記読み取り部が、上記電気伝送路に設けられることを特徴とする請求の範囲１７に記載の光伝送モジュール。
【請求項１９】
上記読み取り部が，上記出力伝送路に設けられていることを特徴とする請求の範囲１７に記載の光伝送モジュール。
【請求項２０】
上記光変換器を駆動させるための発光駆動部と、
上記制御指示部からの、光変換器の駆動の停止指示に応じて上記光変換器および上記発光駆動部に対する電力供給を停止する電力制御部と、
上記光変換器により変換された光信号を受光し、電気信号に変換する受光器と、
上記受光器により変換された電気信号を増幅する増幅部とをさらに備え、
電気信号を光信号に変換して光伝送路に出力する処理を実行する第１信号処理部として、上記制御指示部、上記発光駆動部、上記電力制御部、上記周波数選択部、および上記第１高入力インピーダンス回路を集積回路で形成するとともに、
上記光伝送路を通じて上記第１信号処理部から出力された光信号を受け付け電気信号に変換する処理を実行する第２信号処理部として、上記増幅部、上記第２高入力インピーダンス回路を集積回路で形成することを特徴とする請求の範囲１５に記載の光伝送モジュール。
【請求項２１】
上記第１信号処理部は、上記第２信号処理部が有する各部を備えるとともに、上記第２信号処理部は上記第１信号処理部が有する各部を備え、
上記第１信号処理部と上記第２信号処理部との間で双方向に電気信号および光信号を伝送させることを特徴とする請求の範囲２０に記載の光伝送モジュール。
【請求項２２】
上記第１信号処理部および第２信号処理部が備える各部それぞれを基板上に形成しており、
上記基板上において上記第１信号処理部および第２信号処理部それぞれが、光変換器、受光器、および光伝送路とともにパッケージ固定されることを特徴とする請求の範囲２０または２１に記載の光伝送モジュール。
【請求項２３】
上記第１信号処理部および第２信号処理部それぞれが、外部の基板と電気信号の入出力を行うための電気接続部を備えることを特徴とする請求の範囲２０〜２２のずれか１項に記載の光伝送モジュール。
【発明の詳細な説明】
【技術分野】
【０００１】
本発明は、電気信号を光信号に変換する光変換器と、該光変換器によって変換された光信号を伝送する光伝送路とを有し、入力された所定周波数の電気信号を光信号に変換し上記光伝送路で伝送させる光伝送モジュールに関するものである。
【背景技術】
【０００２】
近年、機器内におけるデータ伝送において、大容量のデータを高速に伝送させることが求められている。この大容量データの高速伝送に対する要求に答えるため、データの高速伝送を可能とする光伝送が利用されるようになっている。この光伝送では、伝送すべきデータの信号を高速かつ劣化させることなく光伝送路（光導波路）を通じて伝送できるという利点を有している。【０００３】
その一方で、データの高速伝送が要求されない場合では、光伝送よりも信号伝送のために消費する電力が小さい従来からの電気信号による伝送を利用することが好ましい。【０００４】
そこで、例えば、上記光伝送と上記電気信号による伝送とを併用できる、いわゆる電気光複合伝送システムが提案されている（例えば、特許文献１および２）。【０００５】
上記特許文献１に示すシステムでは、図３６に示すようにＣＰＵ１１１，１２１などの集積回路を備えた電子制御ユニット１０１，１０２間を、光伝送路としての光ファイバ１０３，１０４および電気伝送路としての起動信号ライン１０５によって結合するように構成されている。【０００６】
また、上述のような電気光複合伝送システムでは、通常、図３７に示す特許文献２の携帯電話装置のように、機器内のデータ伝送において複数の伝送路を利用している。そして、この携帯電話装置は、複数の伝送路を、該伝送路それぞれにおける電気信号の入出力を制御する集積回路（制御部２０５）と結合した構成となる。【０００７】
ところで電気光複合伝送システムの回路構成を小さくするためには、入力された電気信号を、該電気信号の周波数等の特性に応じて、光伝送できるよう切り換え可能となっていることが好ましい。つまり、複数の電気信号の入力部と複数の電気信号の出力部との間で電気信号を送受信するための光伝送路を共用し、高速伝送が所望される電気信号のみ光伝送することができるよう構成することで、電気光複合伝送システムの回路構成を小さくすることができる。【０００８】
このような電気光複合システムの構成としては、例えば図３８に示すように、入力端子３０１…から入力された電気信号のうち高周波となる電気信号を光伝送路３０４で、低周波となる電気信号を電気伝送路３０５で伝送できるように分岐させる構成が挙げられる。【０００９】
この電気光複合システムは、高周波となる信号のみを通過させるハイパスフィルタ（ＨＰＦ）３０２および低周波となる信号のみを通過させるローパスフィルタ（ＬＰＦ）３０３を備えている。そして、入力端子３０１から入力された電気信号が高周波の信号の場合、該電気信号はハイパスフィルタ３０２を通過することができるがローパスフィルタ３０３を通過することはできない。このため、高周波の電気信号は、Ｅ／Ｏ（電気／光）変換器３０６およびＯ／Ｅ（光／電気）変換器３０７を備え光伝送路３０４が設けられた回線を介して出力端子３０８に向かって送信されることとなる。【００１０】
このように、ハイパスフィルタ３０２およびローパスフィルタ３０３を備えることで入力端子３０１から入力された電気信号のうち高周波の電気信号のみを光伝送できるように構成することができる。【００１１】
しかしながら、ローパスフィルタおよびハイパスフィルタを利用して、高周波の電気信号のみを光伝送路により伝送できる上記従来の構成では、このデータ伝送に関する回路構成全体を十分に小型化することができないとともに消費電力を低減させることができないという問題が生じる。【００１２】
つまり、ハイパスフィルタの回路構成は、図３４に示すように電気伝送路にコンデンサ（Ｃ）を設けるとともに、この電気伝送路を抵抗器（Ｒ）で挟み込み、その経路に電圧をかけた構成となる。一方、ローパスフィルタの回路構成は、図３５に示すように電気伝送路とＧＮＤ伝送路との間にコンデンサ（Ｃ）を設けた構成となる。【００１３】
このように、ハイパスフィルタは、ローパスフィルタと比較して回路構成が大きくなる。さらには、ハイパスフィルタは、高周波信号の中心値の電位を確定するため、経路に電圧をかける必要があるためローパスフィルタと比較して消費電力が増すという問題も生じる。【００１４】
したがって、データ伝送に関する回路構成を小さくするために複数の電気信号の入力部と複数の電気信号の出力部との間で光伝送路を共用する構成としても、上述のようにハイパスフィルタの回路構成が大きくなり、また消費電力が増加するため、十分に小型化を図ることができないとともに、消費電力を低減させることができない。
【特許文献１】日本国公開特許公報「特開平５−１９３４２７号公報（１９９３年８月３日公開）」
【特許文献２】日本国公開特許公報「特開２００３−２４４２９５号公報（２００３年８月２９日公開）」
【発明の開示】
【００１５】
本発明は、上記の問題点に鑑みてなされたものであり、その目的は、小さな回路構成でかつ消費電力を低減させつつ、適切なデータのみを光伝送できる光伝送モジュールを実現することにある。
【００１６】
本発明に係る光伝送モジュールは、上記した課題を解決するために、電気信号を光信号に変換する光変換器と、該光変換器によって変換された光信号を伝送する光伝送路と、電気伝送路とを有し、入力された所定周波数の電気信号を光信号に変換し上記光伝送路で伝送させる光伝送モジュールにおいて、所定周波数以外となる電気信号の入力を検知した場合、上記光変換器に駆動の停止を指示する制御指示部を備え、上記所定周波数以外となる電気信号は、上記光変換器の駆動の停止により、光信号に変換されずに上記電気伝送路に伝送されることを特徴とする。
【００１７】
上記構成によると、制御指示部を備え、上記所定周波数以外となる電気信号は、上記光変換器の駆動の停止により、光信号に変換されずに上記電気伝送路に伝送されるため、所定周波数の電気信号のみを光信号に変換して伝送させることができる。すなわち、上記制御指示部は、例えば所定周波数の電気信号の入力があったか否かという単純な判断を行う論理回路から構成することができる。
【００１８】
特には、高周波数の電気信号を光信号で伝送させるように構成されている場合、ハイパスフィルタにより選択した高周波数の電気信号を光信号で伝送させる構成が考えられるが、本願はこのような構成よりも単純でかつ消費電力の小さい回路構成とすることができる。
【００１９】
つまり、このハイパスフィルタの回路構成は、上述したように電気伝送路にコンデンサを設けるとともに、この電気伝送路を抵抗器で挟み込み、その経路に電圧をかけた構成となり、例えば所定周波数の電気信号の入力があったか否かという判断を行う論理回路で構成可能な本願の制御指示部よりも回路構成が大きくなり、また消費電力が増大することとなる。
【００２０】
したがって、光伝送モジュールの構成を、ハイパスフィルタを利用したものとする場合、信号の伝送に関わる回路構成自体が大きくなってしまうとともに、消費電力が増大してしまう。
【００２１】
したがって、本発明に係る光伝送モジュールは、小さな回路構成でかつ消費電力を低減させつつ、適切なデータのみを光伝送できるという効果を奏する。
【００２２】
本発明のさらに他の目的、特徴、および優れた点は、以下に示す記載によって十分わかるであろう。
【図面の簡単な説明】
【００２３】
【図１】本発明の実施形態を示すものであり、光伝送モジュールの要部構成を示すブロック図である。
【図２】（ａ）は本実施形態の光伝送モジュールを内蔵した折り畳み式携帯電話機の外観を示す斜視図であり、（ｂ）は、ヒンジ部の透視平面図である。
【図３】図２（ａ）に示した折り畳み式携帯電話機における、光伝送モジュールが適用されている部分の要部構成を示すブロック図である。
【図４】本実施の形態に係る携帯電話機における、光伝送モジュールの適用部分を示すブロック図である。
【図５】（ａ）は、光伝送路の側面図であり、（ｂ）は、光伝送路における光伝送の状態を模式的に示している図である。
【図６】電気伝送路がＦＰＣで構成されている場合の光伝送モジュールの概略構成を示す斜視図である。
【図７】入力信号の相違の一例を示す図である。
【図８】入力信号の相違の一例を示す図である。
【図９】本実施の形態に係る光伝送モジュールにおいて伝送する低周波の入力信号の最後尾に、信号の最後を示す所定の情報を埋め込む一例を示す図である。
【図１０】本実施の形態に係る「変形例１−１−１」としての光伝送モジュールの要部構成を示す図である。
【図１１】本実施の形態に係る「変形例１−１−２」としての光伝送モジュールの要部構成を示す図である。
【図１２】本実施の形態に係る「変形例１−２−１」としての光伝送モジュールの要部構成を示す図である。
【図１３】本実施の形態に係る「変形例１−２−２」としての光伝送モジュールの要部構成を示す図である。
【図１４】本実施の形態に係る「変形例１−３」としての光伝送モジュールの要部構成を示す図である。
【図１５】本実施の形態に係る「変形例１−４−１」としての光伝送モジュールの要部構成を示す図である。
【図１６】本実施の形態に係る「変形例１−４−２」としての光伝送モジュールの要部構成を示す図である。
【図１７】本実施の形態に係る「変形例２−１」としての光伝送モジュールの要部構成を示す図である。
【図１８】光伝送モジュールを外部の配線基板に取り付ける取り付け方法を示す図であり、同図（ａ）および（ｂ）は、光伝送モジュール、外部の配線基板および接続保持部材の配置関係を示す断面図である。
【図１９】（ａ）は、電気接続部を高さ補償部材の外側側面に設けた光ケーブルモジュールの概略構成を示す平面図であり、（ｂ）は、上記（ａ）におけるＡ−Ａ断面図および該光ケーブルモジュールに着脱自在に接続される外部の配線基板の断面図である。
【図２０】（ａ）は、電気接続部が、基板の面に平行な方向に突き出した形状で設けられている光伝送モジュールの概略構成を示す平面図であり、（ｂ）は、その側面断面図である。
【図２１】光伝送モジュールの有する光伝送路および電気伝送路を、外部の配線基板の上部面に対して均等な距離となるように並列に配線し、垂直接続方式により接続される場合を示す図であり、同図（ａ）は光伝送モジュールと外部の配線基板の側面断面図であり、（ｂ）はその平面図である。
【図２２】光伝送モジュールの有する光伝送路および電気伝送路を、外部の配線基板の上部面に対する距離が、一方が他方より大きくなるように並列に配線し、垂直接続方式により接続される場合を示す図であり、同図（ａ）は光伝送モジュールと外部の配線基板の側面断面図であり、（ｂ）はその平面図である。
【図２３】光伝送モジュールの有する２つの光伝送路を、一体となるように配線し、垂直接続方式により接続される場合を示す図であり、同図（ａ）は光伝送モジュールと外部の配線基板の側面断面図であり、（ｂ）はその平面図である。
【図２４】光伝送モジュールの有する２つの光伝送路を、外部の配線基板の上部面に対して均等な距離となるように並列に配線し、水平接続方式により接続される場合を示す図であり、同図（ａ）は光伝送モジュールと外部の配線基板の側面断面図であり、（ｂ）はその平面図である。
【図２５】光伝送モジュールの有する２つの光伝送路を、外部の配線基板の上部面に対する距離が一方が他方より大きくなるように並列に配線し、水平接続方式により接続される場合を示す図であり、同図（ａ）は光伝送モジュールと外部の配線基板の側面断面図であり、（ｂ）はその平面図である。
【図２６】光伝送モジュールの有する２つの光伝送路を、一体となるように配線し、水平接続方式により接続される場合を示す図であり、同図（ａ）は光伝送モジュールと外部の配線基板の側面断面図であり、（ｂ）はその平面図である。
【図２７】本実施の形態に係る「変形例３−１」としての光伝送モジュールの要部構成を示す図である。
【図２８】光伝送モジュールにおける基板上面部において、光伝送路と高さ補償部材と受発光素子部と光送信処理部または光受信処理部とがパッケージ固定されている構成を示す側面図である。
【図２９】上記光ケーブルモジュールにおけるフィルム光導波路の一方の端面と光結合する発光素子と、他方の端面と光結合する受光素子とが、基板にそれぞれ設けられている構成を示す側面図である。
【図３０】（ａ）、（ｂ）、（ｃ）は、本実施の形態に係る光伝送モジュールを印刷装置に適用した例を示す図である。
【図３１】本実施の形態に係る光伝送モジュールをハードディスク記録再生装置に適用した例を示している。
【図３２】本実施の形態に係る光伝送モジュールが備える信号判別部を実現するフリップフロップ回路の一例を示す図である。
【図３３】本実施の形態に係る光伝送モジュールが備える信号判別部を実現するコンパレータの一例を示す図である
【図３４】ハイパスフィルタの回路構成の一例を示す図である。
【図３５】ローパスフィルタの回路構成の一例を示す図である。
【図３６】従来技術を示すものであり、ＣＰＵなどの集積回路を備えた電子制御ユニット間を、光伝送路としての受光回路（光ファイバ）および電気伝送路としての起動信号ラインによって結合した構成を示す図である。
【図３７】従来技術を示すものであり、複数の伝送路を、該伝送路それぞれにおける電気信号の入出力を制御する集積回路と結合させた構成を示す図である。
【図３８】従来技術を示すものであり、入力端子から入力された電気信号のうち高周波となる電気信号を光伝送路で、低周波となる電気信号を電気伝送路で伝送できるように分岐させた電気光複合システムの構成を示す図である。
【発明を実施するための最良の形態】
【００２４】
本発明の一実施形態について図１〜図３２、および上述した図３４、３４に基づいて説明すると以下の通りである。【００２５】
すなわち、本実施の形態１では、操作キーを備える本体部と、表示画面を備える蓋部と、上記本体部に上記蓋部を回転可能に接続するヒンジ部とからなる折り畳み式携帯電話機において、上記本体部および上記蓋部の間での情報（データ）伝送を、上記ヒンジ部内に設けられた光伝送モジュールを介して行う構成を例に挙げて説明する。【００２６】
図２の（ａ）は本実施形態１の光伝送モジュール１を内蔵した折り畳み式携帯電話機４０の外観を示す斜視図である。図２の（ｂ）は、図３の（ａ）におけるヒンジ部４１（破線で囲んだ部分）の透視平面図である。図３は、図２の（ａ）に示した折り畳み式携帯電話機４０における、光伝送モジュール１が適用されている部分の要部構成を示すブロック図である。【００２７】
図２の（ａ）、（ｂ）および図３に示すように、本実施の形態に係る折り畳み式携帯電話機４０（以下、単に携帯電話機４０と示す）は、本体部４２と、本体部４２の一端に設けられたヒンジ部４１と、ヒンジ部４１を軸として回転可能に設けられた蓋部４３とから構成されている。【００２８】
本体部４２は、携帯電話機４０を操作するための操作キー４４を備えるとともに、その内部に主制御基板２０を備えている。主制御基板２０には、自基板２０に搭載される各素子（図示せず）を統括制御するＣＰＵ２９が搭載されている。【００２９】
蓋部４３は、外部に表示画面４５およびカメラ（図示せず）を備えるとともに、内部にアプリケーション回路基板３０を備えている。アプリケーション回路基板３０には、ＣＰＵ２９から転送される画像データに基づいて画像を表示するＬＣＤ（Liquid Crystal Display）（図示せず）、ＬＣＤを駆動制御するＬＣＤドライバ３９、被写体を撮像するカメラと該カメラを駆動制御するカメラ駆動部とを含むカメラモジュール３８などが搭載されている。【００３０】
上述のような構成を有する携帯電話機４０において、光伝送モジュール１は、主制御基板２０とアプリケーション回路基板３０とを接続し、両基板２０・３０間での信号伝送を行う。例えば、主制御基板２０からアプリケーション回路基板３０へ伝送される信号の具体例としては、ＬＣＤドライバ３９やカメラモジュール３８を駆動させるための駆動信号、ＬＣＤに表示させる画像データ信号、または画像データ信号伝送用クロック信号等が挙げられる。また、アプリケーション回路基板３０から主制御基板２０へ伝送される信号の具体例としては、カメラで撮像した画像データ信号、または画像データ信号伝送用クロック信号等が挙げられる。【００３１】
このうち、上記ＬＣＤに表示させる、あるいはカメラで撮像した画像データ信号、および画像データ信号伝送用クロック信号等は、高周波の信号であって、光伝送路４を利用して高速伝送される。一方、ＬＣＤドライバ３９やカメラモジュール３８を駆動させるための駆動信号等は、低周波の信号であって、電気伝送路５により伝送される。【００３２】
（光伝送モジュールの構成）
次に図１および図４を参照して上記光伝送モジュール１の構成について説明する。なお、図１は、本発明の実施形態を示すものであり、光伝送モジュール１の要部構成を示すブロック図である。また、図４は、本実施の形態に係る携帯電話機４０における、光伝送モジュール１の適用部分を示すブロック図である。【００３３】
図１および図４に示すように、光伝送モジュール１は、ＣＰＵ２９を搭載する主制御基板２０に接続される光送信処理部（光送信部；Ｔｘ）２と、ＬＣＤドライバ３９およびカメラモジュール３８などのアプリケーション回路を搭載するアプリケーション回路基板３０に接続される光受信処理部（光受信部；Ｒｘ）３と、光送信処理部２および光受信処理部３同士を接続する光配線となる光伝送路４と、光送信処理部２および光受信処理部３同士を接続する電気配線となる電気伝送路５とを備えてなる構成である。なお、図４では、説明の便宜上、カメラモジュール３８に関する構成については図示していない。【００３４】
上記光伝送路４は、発光部２３から出射されるデータ信号としての光信号を受光部３１まで伝送する媒体である。また、上記電気伝送路５は、光送信処理部２から出力される電気信号を光受信処理部３に伝送する媒体である。これら光伝送路４および電気伝送路５の詳細については後述する。【００３５】
図１に示すように上記光送信処理部２は、インタフェース回路（以下、Ｉ／Ｆ回路）２１、発光駆動部２２、発光部２３、信号判別部２４、および電源制御部（電力制御部）２５を備えてなる構成である。【００３６】
上記Ｉ／Ｆ回路２１は、外部から周波数レベルの異なる信号を受信するための回路である。このＩ／Ｆ回路２１は、外部から入力される電気信号を伝送する電気配線との、後述する電気接続部１０を備え、外部から光伝送モジュール１内に入力される電気信号の電気配線と発光駆動部２２または信号判別部２４との間に設けられている。【００３７】
また、本実施の形態に係る光伝送モジュール１では、Ｉ／Ｆ回路２１と発光駆動部２２および信号判別部２４との間に、分岐部６が設けられている。そして、外部から入力された電気信号は、Ｉ／Ｆ回路２１から、この分岐部６を介して発光駆動部２２および該信号判別部２４それぞれに出力されるように構成されている。【００３８】
上記発光駆動部２２は、上記Ｉ／Ｆ回路２１を介して外部から光伝送モジュール１内に入力された電気信号に基づいて発光部２３の発光を駆動するものである。この発光駆動部２２は、例えば発光駆動用のＩＣ（Integrated Circuit）によって構成することができる。【００３９】
上記発光部２３は、上記発光駆動部２２による駆動制御に基づいて発光するものである。この発光部２３は、例えばＶＣＳＥＬ（Vertical Cavity-Surface Emitting Laser）などの発光素子によって構成することができる。この発光部２３から発せられた光は、光信号として光伝送路４の光入射側端部に照射される。【００４０】
信号判別部２４は、主制御基板２０から入力された信号を監視し、この信号が高周波数の電気信号であるのか、それとも低周波数の電気信号であるのかについての判別を行うものである。信号判別部２４は、判定した結果に応じ、電源制御部２５に制御信号を出力する。この信号判別部２４の詳細については後述する。【００４１】
電源制御部２５は、信号判別部２４から出力される制御信号に基づいて、光送信処理部２を構成する各部の電源を統括制御する。具体的には、電源制御部２５は、上記制御信号に基づいて、発光駆動部２２および発光部２３に電力を供給して駆動させたり、それぞれへの電力の供給を遮断して停止させたりする。【００４２】
このように、光送信処理部２は、該光送信処理部２に入力される電気信号を、該電気信号に応じた光信号に変換して、光伝送路４に出力するとともに、その内部を構成する各部の電源を電源制御部２５により制御する。【００４３】
次に、光受信処理部３は、受光部３１、増幅部３２、およびＩ／Ｆ回路３３を備えてなる構成である。【００４４】
上記受光部３１は、光伝送路４の光出射側端部から出射された光信号としての光を受光し、光電変換によって電気信号を出力するものである。この受光部３１は、例えばＰＤ（Photo-Diode）などの受光素子によって構成することができる。【００４５】
上記増幅部３２は、受光部３１から出力された電気信号を所望の値に増幅して外部に出力するものである。この増幅部３２は、例えば増幅用のＩＣによって構成することができる。【００４６】
上記Ｉ／Ｆ回路３３は、上記増幅部３２により増幅された電気信号を光伝送モジュール１の外部へ出力するための回路である。Ｉ／Ｆ回路３３は、外部へ電気信号を伝送する電気配線と接続するための、後述する電気接続部１０を備え、増幅部３２もしくは、信号判別部２４とこの電気配線との間に設けられる。【００４７】
また、本実施の形態に係る光伝送モジュール１では、増幅部３２および信号判別部２４とＩ／Ｆ回路２１との間に、結合部７が設けられている。そして、光伝送路４または電気伝送路５を通じて光送信処理部２から受信した信号を、この結合部７を介してＩ／Ｆ回路３３に入力するように構成されている。【００４８】
このように、光受信処理部３は、光伝送路４または電気伝送路５を通じて光送信処理部２から出力される光信号を受信して、該光信号に応じた電気信号に変換した後、所望の信号値に増幅して外部に出力することができる。【００４９】
（光伝送路の構成）
次に、上記光伝送路４の詳細について図５の（ａ）および図５の（ｂ）を用いて説明する。図５の（ａ）は、光伝送路４の側面図を示している。同図に示すように、光伝送路４は、光伝送方向を軸とする柱状形状のコア部４αと、コア部４αの周囲を囲むように設けられたクラッド部４Βとを備えた構成となっている。コア部４αおよびクラッド部４Βは透光性を有する材料によって構成されているとともに、コア部４αの屈折率は、クラッド部４Βの屈折率よりも高くなっている。これにより、コア部４αに入射した光信号は、コア部４α内部で全反射を繰り返すことによって光伝送方向に伝送される。【００５０】
コア部４αおよびクラッド部４Βを構成する材料としては、ガラスやプラスチックなどを用いることが可能であるが、十分な可撓性を有する光伝送路４を構成するためには、アクリル系、エポキシ系、ウレタン系、およびシリコーン系等の樹脂材料を使用することが好ましい。また、クラッド部４Βを空気などの気体で構成してもよい。さらに、クラッド部４Βをコア部４αよりも屈折率の小さい液体の雰囲気下において使用しても同様の効果が得られる。【００５１】
次に、光伝送路４による光伝送の仕組みについて図５の（ｂ）を用いて説明する。図５の（ｂ）は、光伝送路４における光伝送の状態を模式的に示している。同図に示すように、光伝送路４は可撓性を有する柱状形状の部材によって構成される。また、光伝送路４の光入射側端部には光入射面４Ａが設けられているとともに、光出射側端部には光出射面４Ｂが設けられている。【００５２】
発光部２３から出射された光は、光伝送路４の光伝送方向に対して直角または略直角となる方向から、光伝送路４の光入射側端部に入射される。入射された光は、光入射面４Ａにおいて反射されることによって光伝送路４内に導入されコア部４α内を進行する。光伝送路４内を進行して光出射側端部に到達した光は、光出射面４Ｂにおいて反射されることによって、光伝送路４の光伝送方向に対して直角または略直角となる方向へ出射される。出射された光は、受光部３１に照射され、受光部３１において光電変換が行われる。【００５３】
このような構成によれば、光伝送路４における光伝送方向に対して直角または略直角となる方向に、光源としての発光部２３を配置する構成とすることが可能となる。よって、例えば基板面に平行に光伝送路４を配置することが必要とされる場合に、光伝送路４と基板面との間に、該基板面の法線方向に光を出射するように発光部２３を設置すればよいことになる。このような構成は、例えば発光部２３を基板面に平行に光を出射するように設置する構成よりも、実装が容易であり、また、構成としてもよりコンパクトにすることができる。これは、発光部２３の一般的な構成が、光を出射する方向のサイズよりも、光を出射する方向に直角な方向のサイズの方が大きくなっていることによるものである。さらに同一面内に電極と発光部２３がある平面実装向け発光素子を使用する構成にも適用が可能である。【００５４】
なお、同図に示す光伝送路４は、上述のように、光入射面４Ａおよび光出射面４Ｂが傾斜している構成であるが、本実施形態における光伝送路４は、両端面が光伝送方向に対して直交する構成であってもよい。すなわち、光伝送路４の外形が、直方体状に形成されていてもよい。【００５５】
（電気伝送路の構成）
次に、上記電気伝送路５の詳細について説明する。電気伝送路５は、光伝送路４に並行して設けられ、光送信処理部２と光受信処理部３とを接続し、光送信処理部２から出力される低周波の電気信号を光受信処理部３に伝送するものである。【００５６】
具体的には、上述した図１に示すように、電気伝送路５は、分岐部６を介してＩ／Ｆ回路２１と、結合部７を介してＩ／Ｆ回路３３とそれぞれ接続し、Ｉ／Ｆ回路２１から出力された電気信号をＩ／Ｆ回路３３に入力できる。また、この電気伝送路５では、分岐部６と結合部７との間に、信号判別部２４が備えられている。そして、信号判別部２４が、外部から入力された電気信号が高周波数であると判定した場合、該電気信号をＩ／Ｆ回路３３に出力しないように構成されている。このため、結果として、電気伝送路５における信号判別部２４から結合部７までの区間は低周波の電気信号のみ伝送することとなる。【００５７】
この電気伝送路５は、具体的には、例えば、フレキシブルプリント基板（ＦＰＣ）、同軸ケーブル等により構成される。図６は、電気伝送路５がＦＰＣで構成されている場合の光伝送モジュール１の概略構成を示す斜視図である。このように、光伝送路４および電気伝送路５をフレキシブルな配線により構成することで、光伝送モジュール１を携帯機器等の小型の電子機器に適用することができる。【００５８】
（信号判別部の構成）
次に、上記した信号判別部２４の詳細について説明する。信号判別部２４は、図１に示すように電気伝送路５に備えられ、Ｉ／Ｆ回路２１、分岐部６を介して、外部から入力された電気信号（入力信号）の周波数が高周波か低周波を判定する。そして、信号判別部２４は、上記入力信号が高周波ではない、すなわち低周波であると判定した場合、電源制御部２５に、各部への電力供給の停止命令を示す信号（停止信号）を出力する。そして、低周波の入力信号の入力が停止、または低周波の入力信号が高周波に切り替わったと判定した場合、電源制御部２５に、各部への電力供給の開始命令を示す信号（起動信号）を出力する。【００５９】
このように、信号判別部２４は、光伝送モジュール１に対する入力信号が高周波の信号であるのか、低周波の信号であるのかを判定するとともに、判定結果に基づいた制御信号、すなわち起動命令または停止命令を示す信号を出力する。【００６０】
ここで、信号判別部２４が光送信処理部２における入力信号が高周波の信号であるのか、低周波の信号であるのかを判定する方法について、４つの方法を例に挙げて説明する。【００６１】
第１の方法として、例えば、入力信号が、Ｉ／Ｆ回路２１を通じてシングルエンド信号で信号判別部２４に入力される場合、信号判別部２４は、該入力信号の電圧レベルから周波数を求め、入力信号が高周波の信号であるのか、低周波の信号であるのかを判定することができる。【００６２】
すなわち、入力信号がシングルエンド信号の場合、グラウンド（０Ｖ）を基準に、図７に示すように、入力信号の電圧レベルで「Ｌ」と「Ｈ」とが決まる。例えば、３．３Ｖ系のＴＴＬ規格であるＬＶＴＴＬでは、グラウンド・レベルを基準にして、＋２．０Ｖ以上を「Ｈ」レベルに、＋０．８Ｖ以下を「Ｌ」レベルとすることができる。したがってこの電圧レベルの「Ｈ」と「Ｌ」とから、入力信号の周波数を求めることができる。【００６３】
そこで、信号判別部２４は、求めた周波数に基づき、入力信号が高周波の信号であるのか否か判定する。【００６４】
第２の方法としては、信号判別部２４は、入力信号の波形の周期から、入力信号が高周波の信号であるのか、低周波の信号であるのかを判定することができる。すなわち、高周波の信号の場合、図７に示す「Ｈ」レベル、または「Ｌ」レベルが出現する期間が、低周波の信号の場合よりも短くなる。そこで、この周期の相違を利用して入力信号が高周波の信号であるのか否か判定する。【００６５】
具体的には、信号判別部２４は、入力信号の図７に示す「Ｈ」レベル、または「Ｌ」レベルが出現する期間が所定期間より小さくなるか否か判定し、小さくなる場合に、該入力信号は高周波の信号であると判断する。【００６６】
第３の方法としては、まず、入力信号において下記の前提が設定されているものとする。すなわち、図８に示すように入力信号が高周波の信号の場合、Ｉ／Ｆ回路２１から信号判別部２４に、ノイズに対する耐性が強い差動信号として入力し、低周波の信号の場合、シングルエンド信号として入力するように設定する。【００６７】
なお、上記差動信号とは、「＋」と「−」との２本の信号線で伝送される信号であり、「＋」信号線と「−」信号線との電位差によって信号レベルを示すことができるものである。この２つの信号の差が「＋」となる場合は「Ｈ」、「−」となる場合は「Ｌ」とすることができる。【００６８】
このような前提において、信号判別部２４は、入力信号が、差動信号かもしくはシングルエンド信号かを判定し、該入力信号が高周波の信号かもしくは低周波の信号かを判定することができる。【００６９】
また、第４の方法としては、光伝送モジュール１は、高周波の信号を、低周波の信号よりも小さい電圧で伝送するように構成しておき、信号判別部２４は、入力信号の電圧が基準となる電圧よりも低いか高いかにより入力信号が高周波の信号であるのか否かを判定する。【００７０】
通常、電気伝送路では、入力信号を幅広い範囲となる電圧で伝送させることができるが、一方、光伝送路では、発光駆動部２２の駆動電圧が決められており、このためこの入力信号の伝送可能な電圧範囲が限定されることとなる。【００７１】
そこで、入力信号の電圧が基準となる電圧よりも小さい場合、該入力信号を、光伝送路を通じて伝送させ、基準となる電圧よりも大きい場合、該入力信号を、電気伝送路を通じて伝送させるように構成する。なお、この基準となる電圧は、発光駆動部２２の駆動電圧か否かを判定できる値で設定することができる。【００７２】
このように構成された場合、信号判別部２４は、入力信号の電圧が、基準となる電圧よりも高いか低いかにより、該入力信号が高周波の信号、あるいは低周波の信号いずれであるのか判定することができる。なお、上記した信号判別部２４による、入力信号の電圧の高低に対する判定は、該入力信号の信号波形における振幅が基準となる信号の振幅よりも大きいか否かにより判定することができる。【００７３】
上記した第１〜４の方法以外にも信号判別部２４を下記のように構成し、電源制御部２５に対して、各部への電力供給の開始命令を示す信号（起動信号）を出力したり、各部への電力供給の停止命令を示す（停止信号）を出力したりすることもできる。【００７４】
具体的には、この信号判別部２４として、図３２に示すフリップフロップ回路、または図３３に示すコンパレータを利用して以下のように実現することができる。【００７５】
すなわち、上記信号判別部２４がフリップフロップ回路によって実現される場合、本実施の形態に係る光伝送モジュール１では、低周波の信号列の先頭および末尾に制御コマンドとしてビット“１１”をそれぞれ立て、信号列のその他の部分に制御コマンド“１１”を含まないよう設定する。一方、高周波の信号列にはこの制御コマンド“１１”を含まないように設定する。【００７６】
さらにまた、フリップフロップ回路では、入力された制御コマンドが“１１”のとき、当該信号判別部２４から電源制御部２５に出力される制御信号を変更し、入力された制御コマンドが“１１”以外のとき、制御信号をフィードバックし、状態を維持するように設定されている。【００７７】
例えば、電源制御部２５が各部への電力供給している状態において、高周波の電気信号が電気伝送路５を通じて信号判別部２４に入力されたとする。この場合、フリップフロップ回路は、制御信号により指示する駆動の状態、すなわち起動命令を示す状態をフィードバックし維持する。【００７８】
ここで、低周波の電気信号が電気伝送路５を伝送し信号判別部２４に入力されると、フリップフロップ回路において、この信号列の先頭に設定された制御コマンド“１１”を読み取り、電源制御部２５に出力する制御信号を、起動信号から停止信号へと変更する。そして、フリップフロップ回路では、信号列の先頭に設定された制御コマンドとして”１１”を読み取ってからこの信号列の末尾のコマンド”１１”を読み出すまでの間（”１１”を含まない期間）、制御信号により指示する駆動の状態（停止命令を示す状態）をフィードバックし維持する。【００７９】
そして、この信号列の末尾に設定された制御コマンド“１１”を読み取ると、制御信号を停止信号から起動信号に変更させる。なお、上記した制御コマンドは”１１”で示す構成であったが、これに限定されるものではなく例えば２ビット以上の任意のビット数、またはそれらの組合せによって設定される構成により、制御信号の変更を適宜設定する構成であってもよい。【００８０】
一方、上記信号判別部２４がコンパレータにより実現される場合、本実施の形態に係る光伝送モジュール１では、高周波の電気信号はその平均電位が基準電位を上回らないよう設定され、一方、低周波の電気信号はその平均電位が基準電位を上回るように設定する。そして、上記コンパレータは、入力された電気信号の平均電位が基準電位を上回らない場合、電源制御部２５に「０」を出力し、各部へ電力供給した状態とする。【００８１】
また、上記コンパレータは、入力された電気信号の平均電位が基準電位を上回る場合は、電源制御部２５に「１」を出力し、各部への電力供給を停止するように指示する。【００８２】
次に、信号判別部２４が光送信処理部２における、低周波の入力信号の入力が停止された場合を判定する方法について図９を参照して説明する。図９に示すように、本実施の形態に係る光伝送モジュール１では、電気伝送路５で伝送すべき信号、すなわち低周波の入力信号の最後尾に、信号の最後を示す所定の情報（図９では「０１」）が埋め込まれている。そこで、信号判別部２４がこの所定の情報を読み取ることにより、低周波の入力信号の入力停止を判断することができる。【００８３】
このようにして低周波数の入力信号の入力停止を確認すると、信号判別部２４は、電源制御部２５に、起動命令を示す信号を出力する。【００８４】
以上のように、本実施の形態に係る光伝送モジュール１では、信号判別部２４を備えるため、高周波の電気信号のみを光信号に変換して伝送させることができる。【００８５】
また、信号判別部２４は、例えば高周波数の電気信号の入力があったか、低周波数の電気信号の入力があったかという単純な判断を行う論理回路から構成することができる。それゆえ、例えば、高周波の電気信号のみを光伝送させる構成として、高周波の電気信号のみを通過させるハイパスフィルタ（ＨＰＦ）を設け、高周波となる電気信号のみを発光駆動部２２に入力させる構成が考えられるが、本実施の形態に係る光伝送モジュール１はこのような構成よりも、消費電力を低減させつつ、小さい回路構成とすることができる。【００８６】
つまり、このハイパスフィルタを利用する回路構成の場合、図３４に示すように電気伝送路にコンデンサを設けるとともに、この電気伝送路を抵抗器で挟み込み、その経路に電圧をかけた構成となる。このように、ハイパスフィルタは、回路構成が大きくなるとともに、高周波信号の中心値の電位を確定するため、経路に電圧をかける必要があるため消費電力が増す。【００８７】
したがって、本実施の形態に係る光伝送モジュール１は、簡易かつ小さな回路構成により適切なデータ、すなわち高周波の電気信号のみ光伝送できる。【００８８】
（変形例１−１−１）
ここで、本実施の形態に係る光伝送モジュール１の変形例として「変形例１−１−１」について図１０を参照して説明する。【００８９】
すなわち、図１０に示すように、図１に示す光伝送モジュール１の回路構成において、電気伝送路５における分岐部６から信号判別部２４までの間に、低周波の電気信号のみを通過させるローパスフィルタ（ＬＰＦ）２６を備えた構成としてもよい。なお、このＬＰＦ２６の回路構成は、例えば図３５に示す回路構成によって実現できる。【００９０】
このように構成される場合、信号判別部２４は、電気信号の入力の有無のみを判定し、電気信号の入力があったと判定した場合、電源制御部２５に停止命令を示す制御信号を送信する。すなわち、外部から高周波の電気信号が入力された場合、分岐部６にて分岐した電気信号のうち、ＬＰＦ２６に向かって伝送される電気信号は、該フィルタを通過することができない。一方、発光駆動部２２に向かって伝送される電気信号は、発光駆動部２２の制御の下、発光部２３によって光信号に変換され、光伝送路４を通じて光受信処理部３に出力される。【００９１】
外部から低周波の電気信号が入力された場合、分岐部６にて分岐した電気信号のうち、ＬＰＦ２６に向かって伝送される電気信号は、ＬＰＦ２６を通過して信号判別部２４に入力される。信号判別部２４は、電気信号の入力を検知すると、停止命令を示す制御信号を電源制御部２５に送信するとともに、入力された電気信号をそのまま、電気伝送路５を通じて光受信処理部３に出力する。【００９２】
一方、分岐部６にて分岐した電気信号のうち、発光駆動部２２に向かう電気信号は、電源制御部２５の制御により発光駆動部２２および発光部２３の電源供給が停止されているため発光駆動部２２でその伝送が途絶える。【００９３】
外部から高周波の電気信号が入力された場合では、分岐部６にて分岐した電気信号のうち、ＬＰＦ２６に向かって伝送される電気信号は、ＬＰＦ２６を通過せずその伝送が途絶える。【００９４】
一方、分岐部６にて分岐した電気信号のうち、発光駆動部２２に向かう電気信号は、発光駆動部２２および発光部２３が駆動状態にあるため、発光駆動部２２の制御により発光部２３で光信号に変換される。そして、この光信号は光伝送路４を通じて光受信処理部３に出力される。【００９５】
なお、図１０に示す光伝送モジュール１の回路構成において、信号判別部２４が電気伝送路５におけるＬＰＦ２６の出力を受ける位置に備えられていたが、この信号判別部２４を備える位置はこの位置に限定されるものではない。そこで、「変形例１−１−２」として図１０に示した光伝送モジュール１の更なる変形例を、以下に説明する。【００９６】
（変形例１−１−２）
図１１に示す光伝送モジュール１のように、図１に示す光伝送モジュール１の回路構成において、信号判別部２４をＩ／Ｆ回路２１と分岐部６との間に備え、低周波の電気信号が入力された場合、電源制御部２５の駆動の起動または停止を指示するように構成することができる。【００９７】
すなわち、低周波の電気信号が入力された場合、信号判別部２４は、電源制御部２５に電源の停止命令を示す制御信号を送信するとともに、入力された電気信号を、分岐部６を介して発光駆動部２２およびＬＰＦ２６に向かうよう出力する。ここで、発光駆動部２２および発光部２３に供給する電源を、信号判別部２４からの指示に応じて、電源制御部２５により停止しているため、発光駆動部２２に向かう電気信号は、ここで途絶えることとなる。一方、ＬＰＦ２６に向かう電気信号は、ＬＰＦ２６を通過し、電気伝送路５を通じて光受信処理部３に出力される。【００９８】
また、高周波の電気信号が入力された場合、信号判別部２４は、そのまま電気信号を、分岐部６を通じて発光駆動部２２およびＬＰＦ２６に向かって出力する。ＬＰＦ２６に向かって出力された高周波の電気信号は、ＬＰＦ２６を通過しないため、そこで途絶える。一方、発光駆動部２２に出力された電気信号は、発光駆動部２２の制御により発光部２３によって光信号に変換される。そして、光伝送路４を通じて光受信処理部３に出力される。【００９９】
（変形例１−２−１）
次に、図１２を参照して本実施の形態に係る光伝送モジュール１の構成のさら「変形例１−２」について説明する。図１２は、この「変形例１−２−１」としての光伝送モジュール１の概略構成を示すブロック図である。【０１００】
すなわち、図１２に示すように、図１に示す光伝送モジュール１の回路構成において、電気伝送路５における分岐部６との連結部分に高入力インピーダンス回路２７ａをさらに備えた構成としてもよい。なお、この分岐部６との連結部分とは、電気伝送路５における分岐部６より光受信処理部３側であり、かつ該該分岐部６の近傍を意味する。【０１０１】
一般的に、電気信号を高速に伝送する場合、伝送される高周波信号（ＲＦ信号）は、他の回路の影響を受け易く、信号波形になまりが生じる。そのため、正常な信号として伝送されない、いわゆるインピーダンスマッチングが取れないという問題が生じる。【０１０２】
そこで、「変形例１−２−１」では、信号波形に影響を与える回路、ここでは信号判別部２４の入力インピーダンスが高くなるように、高入力インピーダンス回路２７ａを備えている。これにより、光伝送モジュール１では、光伝送路４において高周波信号の波形になまりが生じることを防ぐことができ、正常な信号として高速伝送することが可能となる。【０１０３】
なお、この高入力インピーダンス回路２７ａの具体例としては、例えば、入力部にＭＯＳトランジスタを用いたインバータ回路が挙げられる。【０１０４】
なお、「変形例１−１−１」および「変形例１−１−２」に示す回路構成においても、上記高入力インピーダンス回路２７ａをさらに備えた構成とすることができる。「変形例１−１−１」および「変形例１−１−２」に示す回路構成において上記高入力インピーダンス回路２７ａを備える場合は、分岐部６との連結部分に高入力インピーダンス回路２７ａが備えられる。すなわち、電気伝送路５における分岐部６より光受信処理部３側であり、かつ分岐部６近傍に該高入力インピーダンス回路２７ａが備えられる。【０１０５】
（変形例１−２−２）
なお、光伝送モジュール１は、図１３に示すように、上記した高入力インピーダンス回路２７ａに加えて、さらに電気伝送路５における結合部７との連結部分に高入力インピーダンス回路２７ｂを備える構成としてもよい。このさらなる光伝送モジュール１の回路構成を「変形例１−２−２」として説明する。【０１０６】
すなわち、光伝送モジュール１の「変形例１−２−２」では、図１２に示す回路構成において、結合部７との連結部分、すなわち、電気伝送路５における結合部７より光送信処理部２側であって、該結合部７の近傍に、上述した高入力インピーダンス回路２７ａと同様となる高入力インピーダンス回路２７ｂを備える。これにより、光伝送路４を通じて光受信処理部３に出力された信号が結合部７を介して電気伝送路５に混入することを防ぐことができる。【０１０７】
なお、「変形例１−１−１」および「変形例１−１−２」に示す回路構成、ならびにこれらの回路構成に高入力インピーダンス回路２７ａを備えた構成に、上記高入力インピーダンス回路２７ｂをさらに備える構成としてもよい。つまり、「変形例１−１−１」および「変形例１−１−２」に示す回路構成、ならびにこれらの回路に高入力インピーダンス回路２７ａを備えた構成において、結合部７との連結部分にこの高入力インピーダンス回路２７ｂが備えられる。【０１０８】
（変形例１−３）
また、本実施の形態に係る光伝送モジュール１のさらなる変形例として、「変形例１−３」について、図１４を参照して説明する。すなわち、この「変形例１−３」に係る光伝送モジュールは、図１に示す光伝送モジュール１の構成において、さらに信号読取部２８および開閉回路３４を備える構成である。【０１０９】
上記信号読取部２８は、電気伝送路５を通じて光送信処理部２から光受信処理部３に出力される電気信号に含まれる情報を確認し、開閉回路３４の開閉を制御するものである。【０１１０】
具体的には、この信号読取部２８は、図３２に示すフリップフロップ回路、または図３３に示すコンパレータを利用して以下のように実現することができる。【０１１１】
すなわち、上記信号読取部２８がフリップフロップ回路によって実現される場合、本実施の形態に係る光伝送モジュール１では、低周波の信号列の先頭および末尾に制御コマンドとしてビット“１１”をそれぞれ立て、信号列のその他の部分に制御コマンド“１１”を含まないよう設定する。一方、高周波の信号列にはこの制御コマンド“１１”を含まないように設定する。【０１１２】
さらにまた、フリップフロップ回路では、入力された制御コマンドが“１１”のとき、当該信号読取部２８から開閉回路３４に出力される制御信号（回路の開閉状態を指示する信号）を変更し、入力された制御コマンドが“１１”以外のとき、制御信号（回路の開閉状態を指示する）をフィードバックし、状態を維持するように設定されている。【０１１３】
ここで、開閉回路３４により回路が開いている状態において、高周波の電気信号が電気伝送路５を通じて信号読取部２８に入力されたとする。この場合、フリップフロップ回路は、制御信号により指示する駆動の状態をフィードバックし、状態を維持する。【０１１４】
一方、低周波の電気信号が電気伝送路５を伝送し信号読取部２８に入力されると、フリップフロップ回路において、この信号列の先頭に設定された制御コマンド“１１”を読み取り、開閉回路３４に出力する制御信号を、回路を閉じるように回路の開閉状態の変更を指示する信号とする。そして、フリップフロップ回路では、信号列の先頭に設定された制御コマンドとして”１１”を読み取ってからこの信号列の末尾のコマンド”１１”を読み出すまでの間（”１１”を含まない期間）、制御信号により指示する駆動の状態をフィードバックし、状態を維持する。【０１１５】
そして、この信号列の末尾に設定された制御コマンド“１１”を読み取ると、制御信号によって回路を閉じた状態から開いた状態に変更させる。なお、上記した制御コマンドは”１１”で示す構成であったが、これに限定されるものではなく例えば２ビット以上の任意のビット数、またはそれらの組合せによって設定される構成により、回路の開閉状態の変更を適宜設定する構成であってもよい。【０１１６】
一方、上記信号読取部２８がコンパレータにより実現される場合、本実施の形態に係る光伝送モジュール１では、高周波の電気信号はその平均電位が基準電位を上回らないよう設定され、一方、低周波の電気信号はその平均電位が基準電位を上回るように設定する。そして、上記コンパレータは、入力された電気信号の平均電位が基準電位を上回らない場合、開閉回路３４に「０」を出力し、回路を開くように指示する。【０１１７】
また、上記コンパレータは、入力された電気信号の平均電位が基準電位を上回る場合は、開閉回路３４に「１」を出力し、回路を閉じるように指示する。上記開閉回路３４は、信号読取部２８からの指示に応じて、電気伝送路５において該伝送路を閉じたり開いたり、すなわち、該伝送路を断線させたり結合させたりするものである。【０１１８】
すなわち、光送信処理部２から光受信処理部３に出力する電気信号は、上述したようにその信号波形により情報を含めることができる。そこで、上記信号読取部２８は、電気伝送路５を通じて伝送される電気信号の内容を読み取り、該電気信号を光受信処理部３に出力する必要がないと判断した場合は、開閉回路３４を開き電気伝送路５を断線させる。一方、信号読取部２８が電気伝送路５を通じて伝送された電気信号に含まれる情報を光受信処理部３に出力する必要があると判断した場合、開閉回路３４に開いた回路を閉じるように指示する。【０１１９】
これにより、例えば、光伝送路４を通じて光送信処理部２から光受信処理部３に伝送された信号と、電気伝送路５を通じて光送信処理部２から光受信処理部３に伝送された信号とが結合部７以降で混信してしまうことを防ぐことができる。例えば、光伝送路４を通じて光送信処理部２から光受信処理部３に信号が出力された状態において、電気伝送路５を通じてノイズとして電気信号が生じた場合、該電気信号が結合部７に入力され混信することを防ぐことができる。【０１２０】
なお、図１４では、信号読取部２８が光送信処理部２側に備えられ、開閉回路３４が光受信処理部３側に備えられた構成であるがこれに限定されるものではない。例えば、これら両者を光送信処理部２が備えていてもよいし、逆に光受信処理部３が備えていてもよい。【０１２１】
さらにまた、信号読取部２８は、電気伝送路５上に備えられる構成であったが、結合部７よりもＩ／Ｆ回路３３側に備えた構成であってもよい。このように、結合部７よりＩ／Ｆ回路３３側に信号読取部２８が備えられる構成の場合、この信号読取部２８は、Ｉ／Ｆ回路３３に入力される信号を読み取り、該信号に混信が生じていないか確認する。そして、この信号に混信が生じていると判定した場合、開閉回路３４により電気伝送路５を断線させ混信を防ぐことができる。【０１２２】
（変形例１−４−１）
また、本実施の形態に係る光伝送モジュール１では、信号判別部２４からの制御信号により電源制御部２５の起動または停止等駆動の制御を行う構成であったがこれに限定されるものではない。「変形例１−４−１」として、図１５に示すように、光受信処理部３側においても電源制御部３５をさらに備え、信号判別部２４から出力される制御信号が、電源制御部２５とともに電源制御部３５にも送信される構成であってもよい。【０１２３】
このように構成される場合、光伝送モジュール１では、電気伝送路５に低周波の電気信号が入力された場合、信号判別部２４が停止を示す制御信号を電源制御部２５および電源制御部３５に送信する。そして、この信号判別部２４からの制御信号に応じて、電源制御部２５は、発光駆動部２２および発光部２３への電力供給を停止させ、一方、電源制御部３５は、受光部３１および増幅部３２への電力供給を停止させる。【０１２４】
これにより、光伝送モジュール１では、低速伝送する電気信号を誤って、光伝送してしまうことを防ぐことができるとともに、電気信号を光伝送しない場合は、発光駆動部２２、発光部２３、受光部３１、および増幅部３２への電力供給を停止させることができる。このため、光伝送モジュール１における消費電力を低減させることができる。【０１２５】
（変形例１−４−２）
さらにまた、光伝送モジュール１は、「変形例１−４−２」として図１６に示すように「変形例１−１−１」に示す構成において、光受信処理部３が信号判別部２４と同様に機能する信号判別部３６を備える構成とすることもできる。【０１２６】
上記「変形例１−４−２」に示す構成の場合、信号判別部３６は電気信号の入力の有無のみを判定し、電気信号の入力があったと判定した場合、電源制御部３５に停止命令を示す制御信号を送信する。【０１２７】
これにより、「変形例１−４−２」に係る光伝送モジュール１では、低速伝送する電気信号を誤って、光伝送してしまうことを防ぐことができるとともに、電気信号を光伝送させない場合は、発光駆動部２２、発光部２３、受光部３１、および増幅部３２への電力供給を停止させることができる。このため、光伝送モジュール１における消費電力を低減させることができる。【０１２８】
さらにこの構成の場合、信号判別部２４および信号判別部３６それぞれの回路構成を、図１に示す光伝送モジュール１が備える信号判別部２４よりも簡単なものとすることができる。【０１２９】
なお、上記した光伝送モジュール１では、光送信処理部２から光受信処理部３に信号が一方向に出力される構成について説明したが、光送信処理部２と光受信処理部３との間で、双方向で信号が送受信できる構成とすることもできる。【０１３０】
（変形例２−１）
以下、「変形例２−１」として、光送信処理部２と光受信処理部３との間で、双方向で信号が送受信できる構成について図１７を参照して説明する。【０１３１】
すなわち「変形例２−１」として示す光伝送モジュール１では、光送信処理部５２が、図１に示す構成において光受信処理部３が備えている受光部３１、増幅部３２、Ｉ／Ｆ回路３３、および結合部７をさらに有し、光受信処理部５３が、図１に示す構成において光送信処理部２が備えているＩ／Ｆ回路２１、発光駆動部２２、発光部２３、および分岐部６をさらに有した構成とする。また、光送信処理部５２と光受信処理部５３との間には、光受信処理部５３から光送信処理部５２に光信号を伝送するための光伝送路４および、電気信号を伝送するための電気伝送路５がさらに設けた構成とする。【０１３２】
なお、図１７では光送信処理部５２が備える各部の符号には添え字「ａ」を付し、光受信処理部５３が備える各部の符号には添え字「ｂ」を付し、光送信処理部５２が備える各部と光受信処理部５３が備える各部とを区別している。また、新たに設けた光伝送路を光伝送路４ｂ、電気伝送路を電気伝送路５ｂとし、図１に示す構成において既に備えていた光伝送路を光伝送路４ａ、電気伝送路を電気伝送路５ａとして各伝送路を区別している。【０１３３】
また、光送信処理部５２および光受信処理部５３それぞれにおいて新たに備えた上記各部については既に説明しているためその詳細は省略する。【０１３４】
このように、光伝送モジュール１では、光送信処理部５２と光受信処理部５３との間で双方向に信号を伝送させることができる。【０１３５】
さらには、光送信処理部５２が信号判別部２４ａを備えているため、高周波の電気信号のみを光信号に変換して光受信処理部５３に伝送させることができる。また、光受信処理部５３が信号判別部２４ｂを備えているため、高周波の電気信号のみを光信号に変換して光送信処理部５２に伝送させることができる。【０１３６】
また、信号判別部２４ａ・２４ｂは、例えば高周波数の電気信号の入力があったか、低周波数の電気信号の入力があったかという単純な判断を行う論理回路から構成することができる。それゆえ、例えば、高周波の電気信号のみを光伝送させる構成として、高周波の電気信号のみを通過させるＨＰＦを設け、高周波となる電気信号のみを発光駆動部２２ａまたは発光駆動部２２ｂに入力させる構成が考えられるが、本願はこのような構成よりも単純でかつ小さい回路構成とすることができる。【０１３７】
なお、上記のように光伝送モジュール１を、双方向に信号伝送できる構成とし、光受信処理部５３から光送信処理部５２に信号を伝送させる場合でも、光受信処理部５３がＬＰＦ２６、高入力インピーダンス回路２７、または信号読取部２８をさらに備えたり、光送信処理部５２が、開閉回路３４、または電源制御部３５および信号判別部３６をさらに備えたりすることにより、上述した変形例１−１−１、１−１−２、１−２−１、１−２−２、または１−３を実現できる。【０１３８】
さらにまた、光伝送モジュール１では、図１７に示す電気伝送路５を図２７に示すように構成することで、「変形例３−１」として電気信号を双方向に伝送させることができる構成とすることもできる。【０１３９】
（変形例３−１）
すなわち、「変形例１−２−２」として示す光伝送モジュール１（図１３参照）の構成において、電気伝送路５が、高入力インピーダンス回路２７aと信号判別部２４との間にＬＰＦ２６をさらに備える。このような回路構成において、分岐部６と上記信号判別部２４とを連結する電気伝送路と、信号判別部２４と結合部７とを連結する電気伝送路とをさらに備える。【０１４０】
なお、説明の便宜上、分岐部６から結合部７に向かって順に、高入力インピーダンス回路２７a、ＬＰＦ２６、信号判別部２４、高入力インピーダンス回路２７ｂを備えた電気伝送路５のうち分岐部６〜信号判別部２４までを電気伝送路５a、信号判別部２４〜結合部までを電気伝送路５ｂとする。また、分岐部６と上記信号判別部２４とを連結する電気伝送路を電気伝送路５ｃ、信号判別部２４と結合部７とを連結する電気伝送路を電気伝送路５ｄと称する。【０１４１】
そして、電気伝送路５ｃには、信号判別部２４から分岐部６に向かって伝送する電気信号の入力のみ受け付ける高入力インピーダンス回路２７ｃを、電気伝送路５ｄには、結合部７から信号判別部２４に向かって伝送する電気信号の入力のみ受け付ける高入力インピーダンス回路２７ｄおよびＬＰＦ３７をそれぞれ設けた構成とする。すなわち、電気伝送路５ａ、５ｂでは分岐部６から結合部７に向かって電気信号が伝送され、電気伝送路５ｂ、５ｄでは、結合部７から分岐部６に向かって電気信号が伝送されるように高入力インピーダンス回路２７ａ〜２７ｄそれぞれが配置されている。【０１４２】
つまり、光伝送モジュール１では電気伝送路５を以下の構成と設計するものであると言い換えることができる。【０１４３】
すなわち、上記電気伝送路５は、上記分岐部６から上記信号判別部２４に向かって、電気信号を高入力インピーダンス回路２７ａ、ＬＰＦ２６の順に伝送させるための電気伝送路５ａと、この電気伝送路５ａとは逆向きに電気信号を伝送させるための、分岐部６と信号判別部２４とを連結する電気伝送路５ｃとを有する。そして、電気伝送路５ｃには、上記電気伝送路５ａを伝送する電気信号とは逆向きとなる電気信号のみを伝送させることができるとともに、高いインピーダンスにより上記光伝送路４がこの電気伝送路５ｃから分断された状態となるよう機能する高入力インピーダンス回路２７ｃを備える。【０１４４】
また、光伝送モジュール１は、高入力インピーダンス回路２７ｂを通じて、上記信号判別部２４から上記結合部７に向かって電気信号を伝送させるための電気伝送路５ｂと、この電気伝送路５ｂとは逆向きに電気信号を伝送するための、上記信号判別部２４と上記結合部７とを連結する電気伝送路５ｄとを有する。【０１４５】
そして、この電気伝送路５ｄには、上記電気伝送路５ｂを伝送する電気信号とは逆向きとなる電気信号のみを伝送させることができるとともに、高いインピーダンスにより上記光伝送路４がこの電気伝送路５ｄから分断された状態となるよう機能する高入力インピーダンス回路２７ｄ、該高入力インピーダンス回路２７ｄから出力された電気信号のうち、低周波の電気信号を通過させ、信号判別部２４に出力する他のＬＰＦ３７を備える。【０１４６】
上記した構成により、電気伝送路５では、電気伝送路５ａと電気伝送路５ｂとによって、分岐部６から結合部７に向かって、所定周波数以外となる電気信号のみが伝送される。さらにこれら電気伝送路５ａと電気伝送路５ｃにて、高入力インピーダンス回路２７ａと高入力インピーダンス回路２７ｂとが備えられているため、光伝送路４を伝送する信号に影響を与えることを防ぐことができる。【０１４７】
また、電気伝送路５ｃが、分岐部６と信号判別部２４との間で、高入力インピーダンス回路２７ｃを有している。そして、電気伝送路５ｄが、信号判別部２４と結合部７との間で、高入力インピーダンス回路２７ｄと、他のＬＰＦ３７とを有する。【０１４８】
このため、上記電気伝送路５では、電気伝送路５ｃと電気伝送路５ｄとによって、結合部７から分岐部６に向かって、低周波の電気信号が伝送される。さらにこれら電気伝送路５ｃと電気伝送路５ｄとにおいて、高入力インピーダンス回路２７ｃと高入力インピーダンス回路２７ｄとが備えられているため、光伝送路４を伝送する信号に影響を与えることを防ぐことができる。【０１４９】
上述のように構成することにより光伝送モジュール１は、電気伝送路５において、分岐部６から結合部７に向かって低周波となる電気信号を送信したり、結合部７から分岐部６に向かって低周波となる電気信号を送信したりするなど双方向での電気信号の伝送を実現することができる。【０１５０】
なお、上記変形例「１−１−１」、「１−１−２」、および「３−１」では、ＬＰＦ２６またはＬＰＦ３７を備える構成であった。しかしながら、これらＬＰＦ２６，３７の代わりに入力される電気信号の振幅の大小により、電気信号の通過の可否を決定するフィルタを備える構成であってもよい。【０１５１】
すなわち、光伝送モジュール１において、高周波の信号を、低周波の信号よりも小さい電圧で伝送するように構成しておき、入力信号の振幅が基準となる振幅よりも低いか高いかにより入力信号が高周波の信号であるのか否かを判定する。【０１５２】
（配線基板への取り付け方法）
次に、光伝送モジュール１を外部の配線基板１５に取り付ける取り付け方法について説明する。光伝送モジュール１を外部の配線基板１５に取り付ける方法として例えば、図１８の（ａ）に示すように、光伝送モジュール１の端部を外部の配線基板１５に設けられた接続保持部材１３に、外部の配線基板１５の上部面に略垂直となるようにはめ込んで取り付ける、いわゆる垂直接続方式が挙げられる。【０１５３】
また、他の取り付け方法としては、図１８の（ｂ）に示すように、光伝送モジュール１の端面部を外部の配線基板１５に設けられた接続保持部材１３に、外部の配線基板１５の上部面に略平行となるようにスライドさせて取り付ける、いわゆる水平接続方式が挙げられる。【０１５４】
図１８は、光伝送モジュール１を外部の配線基板１５に取り付ける取り付け方法を示す図であり、同図の（ａ）および（ｂ）は、光伝送モジュール１、外部の配線基板１５および接続保持部材１３の配置関係を示す断面図である。【０１５５】
以下において、垂直接続方式により光伝送モジュール１を外部の配線基板１５に取り付ける取り付け方法について図１９の（ａ）および図１９の（ｂ）を参照して詳細に説明する。図１９の（ａ）は、電気接続部１０を高さ補償部材１１の外側側面に設けた光伝送モジュール１の概略構成を示す平面図である。図１９の（ｂ）は、図１９の（ａ）におけるＡ−Ａ断面図および該光伝送モジュール１に着脱自在に接続される外部の配線基板１５の断面図である。【０１５６】
図１９の（ａ）および図１９の（ｂ）に示すように、光伝送モジュール１の両端面は、基板１２に受発光素子部８、電気配線９、電気接続部１０、ワイヤ８ｐ、および高さ補償部材１１を備えた構成である。【０１５７】
基板１２は、上述の光伝送路４、受発光素子部８、電気配線９、電気接続部１０、および高さ補償部材１１を実装するためのものである。【０１５８】
受発光素子部８は、電気信号を光信号に変換する発光部２３と、光信号を電気信号に変換する受光部３１とから構成されるものであり、基板１２に搭載される搭載面とは反対側の面から光信号を発信および受信する。【０１５９】
電気配線９は、Ｉ／Ｆ回路２１、発光部２３、発光駆動部２２、電源制御部２５、および信号判別部２４、あるいは、受光部３１、増幅部３２、Ｉ／Ｆ回路３３等、上述の光送信処理部２または光受信処理部３が備える各部間を接続して、電気信号の伝達を行うものである。具体的には、例えば、フレキシブルプリント基板（ＦＰＣ）、同軸ケーブル、リードフレーム等が挙げられる。【０１６０】
電気接続部１０は、電気配線９を介して受発光素子部８と発光駆動部２２および増幅部３２とを電気的に接続するためのものである。具体的には、例えば、電気コネクタ、熱圧着コネクタ等が挙げられる。【０１６１】
なお、受発光素子部８と電気配線９とは、ワイヤボンディングによって形成されたワイヤ８ｐによって電気的に接続されている。このワイヤ８ｐが設けられる本数は１本であってもよいし、複数本であってもよい。【０１６２】
高さ補償部材１１は、光伝送路４を搭載すると共に、光伝送路４と受発光素子部８との間の距離を一定に保つための保持部材である。なお、高さ補償部材１１の高さは、光伝送路４と受発光素子部８との光結合効率が最適になるように予め設定されている。【０１６３】
図１９の（ａ）および図１９の（ｂ）に示す構成では、高さ補償部材１１における外側側面、すなわち、基板１２の面に対して垂直な面のうち、受発光素子部８および電気配線９を囲う側の面とは反対側の面であり、外部の配線基板１５との電気的接続を可能とする入出力端面に複数の電気接続部１０…が設けられている。【０１６４】
各電気接続部１０は、図示しない配線を介して電気配線９に電気的に接続されている。なお、全ての電気接続部１０が電気配線９に電気的に接続されている必要はなく、必要に応じて少なくとも１つの電気接続部１０が電気配線９に電気的に接続されていればよい。【０１６５】
この構成によれば、高さ補償部材１１の外側側面に設けられた電気接続部１０…に対向するように電気接続部１４が設けられた外部の配線基板１５との間で着脱自在に接続することを可能とすることができる。【０１６６】
すなわち、光伝送モジュール１を取り付ける、外部の配線基板１５の面上には、面に垂直な側面を有する接続保持部材１３が設けられている。この接続保持部材１３は、光伝送モジュール１と接続された状態において、光伝送モジュール１の高さ補償部材１１の外側側面を囲むような形状となっている。そして、接続保持部材１３の側面のうち、光伝送モジュール１と接続された状態において高さ補償部材１１の外側側面に対向する面に、電気接続部１４…が設けられている。各電気接続部１４は、光伝送モジュール１と接続された状態において各電気接続部１０に対応した位置に設けられている。【０１６７】
このような構成によれば、外部の配線基板１５と光伝送モジュール１とを、互いの基板面が対向する方向に両者を近づけることによって両者が電気的に接続され、逆の方向に遠ざけることによって両者の接続を解除することが可能となる。【０１６８】
すなわち、光伝送モジュール１が、上記した電気接続部１０を備え、一方、外部の配線基板１５の面上に設けた接続保持部材１３が電気接続部１４を備えることにより光伝送モジュール１と該外部の配線基板１５との接続を容易とする。【０１６９】
またここで、例えば電気接続部１０を、弾性を有する構造とし、外部の配線基板１５と光伝送モジュール１とが接続された状態において電気接続部１０が電気接続部１４を弾性によって押した状態になるようにすれば、この弾性による押す力によって両者の接続状態を維持することができる。これにより、外部の配線基板１５と光伝送モジュール１との着脱を極めて容易に行うことが可能となる。【０１７０】
以上のように、外部の配線基板１５と光伝送モジュール１との接続を容易に行うことができるため、光伝送モジュール１を外部の配線基板１５に簡便に実装できる。【０１７１】
次に、水平接続方式により光伝送モジュール１を外部の配線基板１５に取り付ける取り付け方法について図２０の（ａ）および図２０の（ｂ）を参照して詳細に説明する。図２０の（ａ）は、電気接続部１０が、基板１２の面に平行な方向に突き出した形状で設けられている光伝送モジュール１の概略構成を示す平面図であり、図２０の（ｂ）は、その側面断面図である。同図に示す構成では、基板１２の基板面に垂直な側面から、基板面に平行な方向に突き出した形状の電気接続部１０が設けられている。より詳しくは、基板１２の４つの側面のうち、光伝送路４が載置されている側の側面と対向する側面に、４つの電気接続部１０…が設けられている。【０１７２】
各電気接続部１０は、図示しない配線を介して電気配線９に電気的に接続されている。なお、全ての電気接続部１０が電気配線９に電気的に接続されている必要はなく、必要に応じて少なくとも１つの電気接続部１０が電気配線９に電気的に接続されていればよい。【０１７３】
この構成によれば、基板面に平行な方向に突き出した電気接続部１０を挟み込むように電気接続部１４が設けられた外部の配線基板１５との間で着脱自在に接続することを可能とすることができる。図２０の（ｂ）に示すように、外部の配線基板１５の面上に、接続保持部材１３が設けられている。接続保持部材１３は、基板面に平行な方向から電気接続部１０の挿入を受容する形状の凹部が設けられており、この凹部の上面および下面に電気接続部１４…が設けられている。各電気接続部１４は、光伝送モジュール１と接続された状態において各電気接続部１０に対応した位置に設けられており、導通がとられるようになっている。【０１７４】
このような構成によれば、外部の配線基板１５と光伝送モジュール１とを、互いの基板面に平行な方向に両者を近づけることによって両者が電気的に接続され、逆の方向に遠ざけることによって両者の接続を解除することが可能となる。ここで、例えば電気接続部１４を、弾性を有する構造とし、外部の配線基板１５と光伝送モジュール１とが接続された状態において電気接続部１４が電気接続部１０を弾性によって押した状態になるようにすれば、この弾性による押す力によって両者の接続状態を維持することができる。これにより、外部の配線基板１５と光伝送モジュール１との着脱を極めて容易に行うことが可能となる。【０１７５】
また、上記電気接続部１０を、例えば、電気コネクタ、または熱圧着コネクタとし、光送信処理部２，５２および光受信処理部３，５３と一体として形成することにより、光伝送モジュール１の外部配線基板１５への実装を簡略化することができる。【０１７６】
また、上記した垂直接続方式および水平接続方式では、説明の便宜上、１本の光伝送路４に着目して説明した。しかしながら、本実施の形態に係る光伝送モジュール１では、この光伝送路４と並行して電気伝送路５を備えた構成である。そこで、光伝送路４および電気伝送路５の両者を配線する配線方法について説明する。【０１７７】
この配線方法としては、上述した垂直接続方式および水平接続方式それぞれについて例えば並列配線、二階建て配線、一体型配線がある。【０１７８】
これら並列配線、二階建て配線、および一体型配線について図２１の（ａ）、（ｂ）〜図２６の（ａ）、（ｂ）を参照して説明する。【０１７９】
図２１は、光伝送モジュール１の有する光伝送路および電気伝送路を、外部の配線基板１５の上部面に対して均等な距離となるように並列に配線し、垂直接続方式により接続される場合を示す図であり、同図の（ａ）は光伝送モジュールと外部の配線基板１５の側面断面図であり、（ｂ）はその平面図である。図２２は、光伝送モジュール１の有する光伝送路および電気伝送路を、外部の配線基板１５の上部面に対する距離が、一方が他方より大きくなるように並列に配線し、垂直接続方式により接続される場合を示す図であり、同図の（ａ）は光伝送モジュールと外部の配線基板１５の側面断面図であり、（ｂ）はその平面図である。図２３は、光伝送モジュール１の有する光伝送路および電気伝送路を、一体となるように配線し、垂直接続方式により接続される場合を示す図であり、同図の（ａ）は光伝送モジュールと外部の配線基板１５の側面断面図であり、（ｂ）はその平面図である。図２４は、光伝送モジュール１の有する光伝送路および電気伝送路を、外部の配線基板１５の上部面に対して均等な距離となるように並列に配線し、水平接続方式により接続される場合を示す図であり、同図の（ａ）は光伝送モジュールと外部の配線基板１５の側面断面図であり、（ｂ）はその平面図である。図２５は、光伝送モジュール１の有する光伝送路および電気伝送路を、外部の配線基板１５の上部面に対する距離が、一方が他方より大きくなるように並列に配線し、水平接続方式により接続される場合を示す図であり、同図の（ａ）は光伝送モジュールと外部の配線基板１５の側面断面図であり、（ｂ）はその平面図である。図２６は、光伝送モジュール１の有する光伝送路および電気伝送路を、一体となるように配線し、水平接続方式により接続される場合を示す図であり、同図の（ａ）は光伝送モジュールと外部の配線基板１５の側面断面図であり、（ｂ）はその平面図である。【０１８０】
すなわち、図２１の（ａ），（ｂ）および図２４の（ａ），（ｂ）に示すように、光伝送モジュール１では、光伝送路４および電気配線５それぞれを、外部の配線基板１５の上部面までの距離が等しくなるように並列に配線することができる。なお、このように、外部の配線基板１５の上部面までの距離が等しくなるように光伝送路４ａ、４ｂそれぞれを並列に配線すること並列配線と称する。【０１８１】
また、図２２の（ａ），（ｂ）および図２５の（ａ），（ｂ）に示すように、光伝送モジュール１では、光伝送路４、および電気伝送路５それぞれを、外部の配線基板１５の上部面までの距離が、一方が他方より大きくなるように並列に配線することもできる。なお、このように、外部の配線基板１５の上部面までの距離を異ならせ、光伝送路４、および電気伝送路５それぞれを並列に配線すること２階建て配線と称する。【０１８２】
なお、並列配線によって光伝送路４、および電気配線５を配線するのか、あるいは２階建て配線によって配線するのかについては、光伝送モジュール１を搭載する機器の形状等によって規定される制約によって適宜選択される。【０１８３】
また、図２３の（ａ），（ｂ）および図２６の（ａ），（ｂ）に示すように、光伝送モジュール１では、光伝送路４と電気伝送路５とをそれぞれ一体的にして配線することもできる。【０１８４】
また、光伝送モジュール１が有する光送信処理部２，５２および光受信処理部３，５３は、図２８に示すように、光送信処理部２，５２の基板１２上面において、光伝送路４と高さ補償部材１１とともにパッケージ１６内に固定されていてもよい。これにより、受発光素子部８と光送信処理部２，５２および光受信処理部３，５３とを外部から守ることができるため、電気信号の伝送特性の劣化を防止することができる。また、光伝送路４と受発光素子部８との間の距離Ｄを確実に固定することができるため、さらに光結合効率の向上を図ることができる。なお、図２８は上記光伝送モジュール１における基板上面部において、光伝送路４と高さ補償部材１１と受発光素子部８と光送信処理部２または光受信処理部３とがパッケージ固定されている構成を示す側面図である。【０１８５】
また、図２９に示すように、本実施の形態に係る光伝送モジュール１は、光伝送路４における一方の端面と光結合する発光部２３と、他方の端面と光結合する受光部３１とが、基板１２ａ、１２ｂにそれぞれ設けられる構成である。これにより、光結合効率が高い光通信用の光伝送モジュールを実現することができる。【０１８６】
また、光伝送モジュール１では、発光部２３を除く光送信処理部２，５２および受光部３１を除く光受信処理部３，５３が備える各部を集積回路として構成することができる。すなわち光伝送モジュール１では、光送信処理部２，５２および光受信処理部３，５３が備える各部を小型集積化した構成とすることができる。また、光伝送モジュール１では、上記した携帯電話機４０において、この機器基板に実装されたＩＣ上に上記した光送信処理部２，５２および光受信処理部３，５３を設けている。このように、ノイズの発生が少ない光伝送モジュールをＩＣ上に設けることができるため、携帯電話機４０におけるノイズの影響を低減することができる。【０１８７】
（応用例）
なお、本実施形態の光伝送モジュール１は、例えば以下のような応用例に適用することが可能である。上述した実施形態では、応用例として携帯電話機４０に適用した例を用いて説明したが、これに限定されるものではなく、折り畳み式ＰＨＳ（Personal Handyphone System）、折り畳み式ＰＤＡ（Personal Digital Assistant）、折り畳み式ノートパソコン等の折り畳み式の電子機器のヒンジ部等にも適用することができる。【０１８８】
光伝送モジュール１を、これらの折り畳み式電子機器に適用することにより、限られた空間で高速、大容量の通信を実現できる。したがって、例えば、折り畳み式液晶表示装置などの、高速、大容量のデータ通信が必要であって、小型化が求められる機器に特に好適である。【０１８９】
さらなる応用例として、光伝送モジュール１は、印刷装置（電子機器）におけるプリンタヘッドやハードディスク記録再生装置における読み取り部など、駆動部を有する装置にも適用できる。【０１９０】
図３０の（ａ）〜図３０の（ｃ）は、光伝送モジュール１を印刷装置５０に適用した例を示している。図３０の（ａ）は、印刷装置５０の外観を示す斜視図である。この図に示すように、印刷装置５０は、用紙５４の幅方向に移動しながら用紙５４に対して印刷を行うプリンタヘッド５１を備えており、このプリンタヘッド５１に光伝送モジュール１の一端が接続されている。【０１９１】
図３０の（ｂ）は、印刷装置５０における、光伝送モジュール１が適用されている部分のブロック図である。この図に示すように、光伝送モジュール１の一端部はプリンタヘッド５１に接続されており、他端部は印刷装置５０における本体側基板に接続されている。なお、この本体側基板には、印刷装置５０の各部の動作を制御する制御手段などが備えられる。【０１９２】
図３０の（ｃ）および図３０の（ｄ）は、印刷装置５０においてプリンタヘッド５１が移動（駆動）した場合の、光伝送路４の湾曲状態を示す斜視図である。この図に示すように、光伝送路４をプリンタヘッド５１のような駆動部に適用する場合、プリンタヘッド５１の駆動によって光伝送路４の湾曲状態が変化するとともに、光伝送路４の各位置が繰り返し湾曲される。【０１９３】
したがって、本実施形態にかかる光伝送モジュール１は、これらの駆動部に好適である。また、光伝送モジュール１をこれらの駆動部に適用することにより、駆動部を用いた高速、大容量通信を実現できる。【０１９４】
図３１は、光伝送モジュール１をハードディスク記録再生装置６０に適用した例を示している。【０１９５】
この図に示すように、ハードディスク記録再生装置６０は、ディスク（ハードディスク）６１、ヘッド（読み取り、書き込み用ヘッド）６２、基板導入部６３、駆動部（駆動モータ）６４、光伝送モジュール１を備えている。【０１９６】
駆動部６４は、ヘッド６２をディスク６１の半径方向に沿って駆動させるものである。ヘッド６２は、ディスク６１上に記録された情報を読み取り、また、ディスク６１上に情報を書き込むものである。なお、ヘッド６２は、光伝送モジュール１を介して基板導入部６３に接続されており、ディスク６１から読み取った情報を光信号として基板導入部６３に伝搬させ、また、基板導入部６３から伝搬された、ディスク６１に書き込む情報の光信号を受け取る。【０１９７】
このように、光伝送モジュール１をハードディスク記録再生装置６０におけるヘッド６２のような駆動部に適用することにより、高速、大容量通信を実現できる。【０１９８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１９９】
本発明に係る光伝送モジュールは、以上のように、電気信号を光信号に変換する光変換器と、該光変換器によって変換された光信号を伝送する光伝送路とを有し、入力された所定周波数の電気信号を光信号に変換し上記光伝送路で伝送させる光伝送モジュールにおいて、所定周波数以外となる電気信号の入力を検知した場合、上記光変換器に駆動の停止を指示する制御指示部を備えることを特徴とする。【０２００】
したがって、本発明に係る光伝送モジュールは、簡易かつ小さな回路構成により適切なデータのみを光伝送できるという効果を奏する。【０２０１】
また、本発明に係る光伝送モジュールは、上記した構成において、上記制御指示部は、所定周波数以外となる電気信号の入力を検知している間は上記光変換器に駆動の停止を指示しており、上記所定周波数以外となる電気信号の入力に対する検知がなくなった場合、上記光変換器に駆動の開始を指示するように構成されていてもよい。【０２０２】
上記構成によると、制御指示部が上記所定周波数以外となる電気信号の入力に対する検知がなくなった場合、光変換器に駆動の開始を指示することができるため、光変換器の駆動を適切なタイミングで開始させることができる。したがって、本発明に係る光伝送モジュールは、適切に光変換器の駆動を制御することができる。【０２０３】
また、本発明に係る光伝送モジュールは、上記した構成において、上記所定周波数は、予め設定された基準となる基準周波数よりも高い周波数であり、上記制御指示部は、入力された電気信号の周波数が上記基準周波数よりも高いか否かを判断し、該電気信号の周波数が基準周波数以下となる場合、所定周波数以外となる電気信号の入力を検知したとして、上記光変換器に駆動の停止を指示するように構成されていてもよい。【０２０４】
なお、上記基準周波数とは、光信号への変換が所望されている電気信号か否かを区別するために予め設定された周波数の値である。例えば、光伝送により伝送しなければ信号がなまる可能性があるか否かを基準にこの基準周波数を設定することができる。【０２０５】
上記構成によると、制御指示部は、入力された電気信号の周波数が基準周波数よりも高いか否かを判断し、基準周波数以下となる場合において光変換器に駆動の停止を指示することができる。このため、入力された電気信号の周波数が基準周波数以下となる場合、該電気信号は光信号に変換されないこととなる。【０２０６】
このように、入力された電気信号が光信号として伝送させる必要がない信号の場合、光変換器の駆動を停止しておくことができるため、光変換器の駆動により消費される電力量を低減させることができるとともに、高速伝送が所望される電気信号のみ適切に光信号に変換して伝送させることができる。【０２０７】
また、本発明に係る光伝送モジュールは、上記した構成において、上記制御指示部は、入力された電気信号の周波数が基準周波数以下となる間は、所定周波数以外となる電気信号の入力を検知しているものとして、上記光変換器に駆動の停止を指示しており、上記入力された電気信号の周波数が基準周波数よりも高い周波数となる場合、上記所定周波数以外となる電気信号の入力に対する検知がなくなったものとして、上記光変換器に駆動の開始を指示するように構成されていてもよい。【０２０８】
上記構成によると、制御指示部が、上記入力された電気信号の周波数が基準周波数よりも高い周波数となる場合、すなわち、上記所定周波数以外となる電気信号の入力に対する検知がなくなった場合、光変換器に駆動の開始を指示することができる。このため、本発明に係る光伝送モジュールは、光変換器の駆動を適切なタイミングで開始させることができる。したがって、本発明に係る光伝送モジュールは、適切に光変換器の駆動を制御することができる。【０２０９】
また、本発明に係る光伝送モジュールは、上記した構成において、上記所定周波数となる電気信号の振幅は、予め設定された基準となる基準振幅よりも小さい振幅であり、上記制御指示部は、入力された電気信号の振幅が上記基準振幅よりも小さいか否かを判断し、該電気信号の振幅が基準振幅以上となる場合、所定周波数以外となる電気信号の入力を検知したとして、上記光変換器に駆動の停止を指示することを特徴とするように構成されていてもよい。【０２１０】
なお、上記基準振幅とは、光信号への変換が所望されている電気信号か否かを区別するために予め設定された振幅の値である。【０２１１】
上記構成によると、制御指示部は、入力された電気信号の振幅が上記基準振幅よりも小さいか否かを判定することができる。つまり、振幅の大小の相違により、入力された電気信号が所定周波数か否かを判断することができる。そして、基準振幅以上となる場合において光変換器に駆動の停止を指示することができる。このため、入力された電気信号の振幅が基準振幅以上となる場合、すなわち、周波数が基準周波数以下となる場合、該電気信号は光信号に変換されないこととなる。【０２１２】
このように、入力された電気信号が光信号として伝送させる必要がない信号の場合、光変換器の駆動を停止しておくことができるため、光変換器の駆動により消費される電力量を低減させることができるとともに、高速伝送が所望される電気信号のみ適切に光信号に変換して伝送させることができる。【０２１３】
また、本発明に係る光伝送モジュールは、上記した構成において、上記制御指示部は、入力された電気信号の振幅が基準振幅以上となる間は、所定周波数以外となる電気信号の入力を検知しているものとして、上記光変換器に駆動の停止を指示しており、上記入力された電気信号の振幅が基準振幅よりも小さくなる場合、上記所定周波数以外となる電気信号の入力に対する検知がなくなったものとして、上記光変換器に駆動の開始を指示するように構成されていてもよい。【０２１４】
上記構成によると、制御指示部が、上記入力された電気信号の振幅が基準振幅より小さくなる場合、すなわち、上記所定周波数以外となる電気信号の入力に対する検知がなくなった場合、光変換器に駆動の開始を指示することができる。このため、本発明に係る光伝送モジュールは、光変換器の駆動を適切なタイミングで開始させることができる。したがって、本発明に係る光伝送モジュールは、適切に光変換器の駆動を制御することができる。【０２１５】
また、本発明に係る光伝送モジュールは、上記した構成において、上記所定周波数の電気信号は、差動信号として伝送されており、上記所定周波数以外となる電気信号は、シングルエンド信号として伝送されており、上記制御指示部は、入力された電気信号が差動信号であるか、あるいはシングルエンド信号であるかを判断し、該電気信号がシングルエンド信号である場合、所定周波数以外となる電気信号の入力を検知したとして、上記光変換器に駆動の停止を指示するように構成されていてもよい。【０２１６】
なお、上記シングルエンド信号とは、光伝送モジュールにおいて、１本の信号線でデータを転送する方式により送信される信号を意味する。一方、差動信号とは、「正（プラス）」、「負（マイナス）」の２本の信号線でデータを転送する方式により送信される信号を意味する。【０２１７】
このように、入力された電気信号が光信号として伝送させる必要がない信号の場合、光変換器の駆動を停止しておくことができるため、光変換器の駆動により消費される電力量を低減させることができるとともに、高速伝送が所望される電気信号のみ適切に光信号に変換して伝送させることができる。【０２１８】
また、本発明に係る光伝送モジュールは、上記した構成において、上記制御指示部は、入力された電気信号がシングルエンド信号である間は、所定周波数以外となる電気信号の入力を検知しているものとして、上記光変換器に駆動の停止を指示しており、上記入力された電気信号が差動信号となる場合、上記所定周波数以外となる電気信号の入力に対する検知がなくなったものとして、上記光変換器に駆動の開始を指示するように構成されていてもよい。【０２１９】
上記構成によると、制御指示部が、上記入力された電気信号が差動信号となる場合、すなわち、上記所定周波数以外となる電気信号の入力に対する検知がなくなった場合、光変換器に駆動の開始を指示することができる。このため、本発明に係る光伝送モジュールは、光変換器の駆動を適切なタイミングで開始させることができる。したがって、本発明に係る光伝送モジュールは、適切に光変換器の駆動を制御することができる。【０２２０】
また、本発明に係る光伝送モジュールは、上記した構成において、入力された電気信号を伝送させる入力伝送路と、所定周波数以外の電気信号を伝送させる電気伝送路と、上記入力伝送路を伝送する電気信号を、上記光伝送路に向かう経路と、上記電気伝送路に向かう経路とに分岐させる分岐部と、上記所定周波数以外の電気信号を通過させる周波数選択部と、を備え、上記電気伝送路において、上記周波数選択部が上記制御指示部よりも分岐部側となるようにそれぞれが設けられており、上記制御指示部は上記周波数選択部から入力される電気信号の有無を判定し、該電気信号の入力があると判定した場合、所定周波数以外となる電気信号の入力を検知したとして、上記光変換器に駆動の停止を指示するように構成されていてもよい。【０２２１】
また、本発明に係る光伝送モジュールは、上記した構成において、上記所定周波数は、光信号に変換されない電気信号の周波数よりも高い周波数であり、上記周波数選択部は、上記所定周波数より小さい周波数の電気信号を通過させるフィルタ回路であることが好ましい。【０２２２】
上記構成によると、上記電気伝送路において、分岐部から順に上記周波数選択部および制御指示部を備えている。【０２２３】
このため、所定周波数以外となる電気信号が分岐部により分岐され電気伝送路および光伝送路それぞれに向けて入力された場合、周波数選択部を通過して制御指示部に入力されることとなる。このように制御指示部が電気信号の入力を受けた場合、すなわち所定周波数以外となる電気信号が入力された場合、制御指示部は光伝送路における光変換器の駆動を停止させることができる。つまり、周波数選択部を通過する電気信号の場合、この電気信号は所定周波数以外となる電気信号であり、この電気信号が光伝送されることを阻止することができる。【０２２４】
一方、入力された電気信号が所定周波数の電気信号であり、上記周波数選択部を通過しない場合、すなわち光伝送が求められる電気信号が入力された場合、制御指示部は、駆動の停止を指示しないため、この電気信号を光伝送させることができる。【０２２５】
このように本発明に係る光伝送モジュールでは、周波数選択部により所定周波数以外となる電気信号の場合のみ電気信号が制御指示部に入力されるため、例えば、この制御指示部は電気信号の入力の有無という単純な判定を行う論理回路により構成することができる。【０２２６】
特には、高周波数の電気信号を光信号で伝送させるように構成されている場合、ハイパスフィルタにより選択した高周波数の電気信号を光信号で伝送させる構成が考えられるが、本願はこのような構成よりも単純でかつ小さい回路構成とすることができる。つまり、回路構成が大きくなるハイパスフィルタの代わりに低周波数の電気信号を通過させるローパスフィルタと上記した論理回路とを備えた構成とすることができる。【０２２７】
したがって、本発明に係る光伝送モジュールは、簡易かつ小さな回路構成により適切なデータのみを光伝送できる。【０２２８】
また、本発明に係る光伝送モジュールは、上記した構成において、上記所定周波数となる電気信号の振幅は、予め設定された基準となる基準振幅よりも小さい振幅であり、入力された電気信号を伝送させる入力伝送路と、所定周波数以外の電気信号を伝送させる電気伝送路と、上記入力伝送路を伝送する電気信号を、上記光伝送路に向かう経路と、上記電気伝送路に向かう経路とに分岐させる分岐部と、上記基準振幅以上の振幅となる電気信号を通過させる周波数選択部と、を備え、上記電気伝送路において、上記周波数選択部が上記制御指示部よりも分岐部側となるようにそれぞれが設けられており、上記制御指示部は上記周波数選択部から入力される電気信号の有無を判定し、該電気信号の入力があると判定した場合、所定周波数以外となる電気信号の入力を検知したとして、上記光変換器に駆動の停止を指示するように構成されていてもよい。【０２２９】
上記構成によると、上記電気伝送路において、分岐部から順に上記周波数選択部および制御指示部を備えている。このため、基準振幅以上となる電気信号、すなわち所定周波数以外となる電気信号が分岐部により分岐され電気伝送路および光伝送路それぞれに向けて入力された場合、周波数選択部を通過して制御指示部に入力されることとなる。【０２３０】
このように所定周波数以外となる電気信号が入力された場合、制御指示部は光伝送路における光変換器の駆動を停止させることができる。つまり、周波数選択部を通過する電気信号の場合、この電気信号は所定周波数以外となる電気信号であり、この電気信号が光伝送されることを阻止することができる。【０２３１】
一方、入力された電気信号が基準振幅より小さい電気信号、すなわち所定周波数の電気信号であり、上記周波数選択部を通過しない場合、制御指示部は、駆動の停止を指示しないため、この電気信号を光伝送させることができる。【０２３２】
このように本発明に係る光伝送モジュールでは、周波数選択部により所定周波数以外となる電気信号のみ制御指示部に入力されるため、例えば、この制御指示部は電気信号の入力の有無という単純な判定を行う論理回路により構成することができる。【０２３３】
ここで、高周波数の電気信号を光信号で伝送させるように構成する場合、ハイパスフィルタにより選択した高周波数の電気信号を光信号で伝送させる構成が考えられるが、上述したようにハイパスフィルタの回路構成は大きく、また消費電力がかかる。【０２３４】
これに対して本願は、ハイパスフィルタを利用した構成よりも小さい回路構成でかつ消費電力を低減させることができる。つまり、回路構成が大きくなるハイパスフィルタの代わりに、基準振幅以上となる電気信号を通過させるローパスフィルタと上記した論理回路とを備えた構成とすることができる。【０２３５】
また、本発明に係る光伝送モジュールは、上記した構成において、上記制御指示部は、電気信号の入力がある間は、所定周波数以外となる電気信号の入力を検知しているものとして、上記光変換器に駆動の停止を指示しており、上記電気信号の入力がなくなった場合、上記所定周波数以外となる電気信号の入力に対する検知がなくなったものとして、上記光変換器に駆動の開始を指示するように構成されることが好ましい。【０２３６】
上記構成によると、制御指示部が、上記所定周波数以外となる電気信号の入力に対する検知がなくなった場合、光変換器に駆動の開始を指示することができる。このため、本発明に係る光伝送モジュールは、光変換器の駆動を適切なタイミングで開始させることができる。したがって、本発明に係る光伝送モジュールは、適切に光変換器の駆動を制御することができる。【０２３７】
また、本発明に係る光伝送モジュールは、上記した構成において、上記光伝送路を介して伝送された信号または上記電気伝送路を介して伝送された信号を出力する出力伝送路と、上記光伝送路と電気伝送路とを、上記出力伝送路に結合させる結合部とを備えるように構成されていてもよい。【０２３８】
上記構成によると、出力伝送路および結合部を備えるため、入力伝送路を介して入力された電気信号を、その周波数に応じて、光伝送路または電気伝送路のいずれかを経由して出力伝送路に出力させることができる。【０２３９】
また、本発明に係る光伝送モジュールは、上記した構成において、上記電気伝送路は、上記分岐部との連結部分であり、かつ上記周波数選択部よりも分岐部側に、高いインピーダンスにより上記光伝送路が上記電気伝送路から分断された状態となるよう機能する第１高入力インピーダンス回路を備えるように構成されていてもよい。【０２４０】
上記構成によると、電気伝送路が、分岐部との連結部分であり、かつ周波数選択部よりも分岐部側に第１高入力インピーダンス回路を備えるため、電気伝送路のインピーダンス状態に影響されることなく、光信号を安定して伝送させることができる。【０２４１】
なお、この分岐部との連結部分とは、電気伝送路における分岐部近傍を示す範囲であり、分岐部自身は除かれる。【０２４２】
また、本発明に係る光伝送モジュールは、上記した構成において、上記電気伝送路は、上記結合部との連結部分に、高いインピーダンスにより上記光伝送路が上記電気伝送路から分断された状態となるよう機能する第２高入力インピーダンス回路を備えるように構成されていてもよい。【０２４３】
上記構成によると、電気伝送路が、結合部との連結部分に第２高入力インピーダンス回路を備えるため、光伝送路の出力側が、電気伝送路のインピーダンス状態に影響されることなく、光信号を安定して伝送させることができる。【０２４４】
なお、この結合部との連結部分とは、電気伝送路における結合部近傍を示す範囲であり、結合部自身は除かれる。【０２４５】
また、本発明に係る光伝送モジュールは、上記した構成において、上記電気伝送路は、上記分岐部から上記制御指示部に向かって電気信号を上記第１高入力インピーダンス回路、上記周波数選択部の順に伝送させる第１電気伝送路と、上記第１電気伝送路とは逆向きに電気信号を伝送させ、上記分岐部と上記制御指示部とを連結する第２電気伝送路とを有し、上記第２電気伝送路には、上記第１電気伝送路を伝送する電気信号とは逆向きとなる電気信号のみを伝送させることができるとともに、高いインピーダンスにより上記光伝送路が該第２電気伝送路から分断された状態となるよう機能する第３高入力インピーダンス回路を備えており、上記第２高入力インピーダンス回路を通じて、上記制御指示部から上記結合部に向かって電気信号を伝送させるための第３電気伝送路と、上記第３電気伝送路とは逆向きに電気信号を伝送するための、上記制御指示部と上記結合部とを連結する第４電気伝送路とを有し、上記第４電気伝送路には、上記第３電気伝送路を伝送する電気信号とは逆向きとなる電気信号のみを伝送させることができるとともに、高いインピーダンスにより上記光伝送路が該第３電気伝送路から分断された状態となるよう機能する第４高入力インピーダンス回路、該第４高入力インピーダンス回路から出力された電気信号のうち、所定周波数以外の電気信号を通過させ、上記制御指示部に出力する他の周波数選択部を備えるように構成されていてもよい。【０２４６】
上記構成によると、電気伝送路において、分岐部と制御指示部との間で第１高入力インピーダンス回路、周波数選択部を有する第１電気伝送路および、制御指示部と結合部との間で上記第２高入力インピーダンス回路を有する第３電気伝送路を備える。【０２４７】
このため、上記電気伝送路では、第１電気伝送路と第３電気伝送路とによって、分岐部から結合部に向かって、所定周波数以外となる電気信号のみが伝送される。さらにこれら第１電気伝送路と第３電気伝送路にて、第１高入力インピーダンス回路と第２高入力インピーダンス回路とが備えられているため、光伝送路を伝送する信号に影響を与えることを防ぐことができる。【０２４８】
また、電気伝送路において、分岐部と制御指示部との間で、第３高入力インピーダンス回路を有する第２電気伝送路と、制御指示部と結合部との間で、第４高入力インピーダンス回路、周波数選択部を有する第４電気伝送路を備える。【０２４９】
このため、上記電気伝送路では、第２電気伝送路と第４電気伝送路とによって、結合部から分岐部に向かって、所定周波数以外となる電気信号のみが伝送される。さらにこれら第２電気伝送路と第４電気伝送路とにおいて、第３高入力インピーダンス回路と第４高入力インピーダンス回路とが備えられているため、光伝送路を伝送する信号に影響を与えることを防ぐことができる。【０２５０】
したがって、本発明に係る光伝送モジュールは、上述したように電気伝送路において、分岐部から結合部に向かって所定周波数以外となる電気信号を送信したり、結合部から分岐部に向かって所定周波数以外となる電気信号を送信したりするなど双方向での電気信号の伝送を実現することができる。【０２５１】
また、本発明に係る光伝送モジュールは、上記した構成において、上記電気伝送路によって伝送する電気信号に含まれる情報を読み取る読み取り部と、上記読み取り部の読み取り結果に応じて、電気伝送路と結合部との連結部分の開閉を行う開閉部とを備えるように構成されていてもよい。【０２５２】
また、本発明に係る光伝送モジュールは、上記した構成において、上記読み取り部が、上記電気伝送路に設けられるように構成されていてもよい。【０２５３】
また、本発明に係る光伝送モジュールは、上記した構成において、上記読み取り部が，上記出力伝送路に設けられるように構成されていてもよい。【０２５４】
上記構成によると、読み取り部を備えるため、電気伝送路を伝送する電気信号に含まれる情報について把握することができる。また、開閉部を備えるため、上記電気信号に含まれる情報に応じて電気伝送路を光伝送路から分離させることができる。【０２５５】
このため、電気伝送路から出力される信号と光伝送路から出力される信号とが混じりあってしまうような状態が発生することを防ぐことができる。このため、光信号の安定した伝送を実現することができる。【０２５６】
また、本発明に係る光伝送モジュールは、上記した構成において、上記光変換器を駆動させるための発光駆動部と、上記制御指示部からの、光変換器の駆動の停止指示に応じて上記光変換器および上記発光駆動部に対する電力供給を停止する電力制御部と、上記光変換器により変換された光信号を受光し、電気信号に変換する受光器と、上記受光器により変換された電気信号を増幅する増幅部とをさらに備え、電気信号を光信号に変換して光伝送路に出力する処理を実行する第１信号処理部として、上記制御指示部、上記発光駆動部、上記電力制御部、上記周波数選択部、および上記第１高入力インピーダンス回路を集積回路で形成するとともに、上記光伝送路を通じて上記第１信号処理部から出力された光信号を受け付け電気信号に変換する処理を実行する第２信号処理部として、上記増幅部、上記第２高入力インピーダンス回路を集積回路で形成するように構成されていてもよい。【０２５７】
上記構成によると、第１信号処理部として上記発光駆動部、上記制御指示部、上記電力制御部、上記周波数選択部、および上記第１高入力インピーダンス回路を集積回路として形成することができる。また、第２信号処理部として、増幅部、第２高入力インピーダンス回路を集積回路として形成することができる。【０２５８】
これにより、入力された電気信号を光信号に変換し光伝送路を介して出力する第１信号処理部と、この第１信号処理部から出力された光信号を受け付け、電気信号に変換する第２信号処理部とを小型化することができる。【０２５９】
また、本発明に係る光伝送モジュールは、上記した構成において、上記第１信号処理部は、上記第２信号処理部が有する各部を備えるとともに、上記第２信号処理部は上記第１信号処理部が有する各部を備え、上記第１信号処理部と上記第２信号処理部との間で双方向に電気信号および光信号を伝送させるように構成されていてもよい。【０２６０】
また、本発明に係る光伝送モジュールは、上記した構成において、上記第１信号処理部および第２信号処理部が備える各部それぞれを基板上に形成しており、上記基板上において上記第１信号処理部および第２信号処理部それぞれが、光変換器、受光器、および光伝送路とともにパッケージ固定されるように構成されていてもよい。【０２６１】
上記構成により、第１信号処理部および第２信号処理部が備える各部を外部から守ることができるため、電気信号の伝送特性の劣化を防止することができる。また、光伝送路と第１信号処理部および第２信号処理部が備える光変換器および受光器それぞれとの間の距離を確実に固定することができるため、光結合効率の向上を図ることもできる。【０２６２】
また、本発明に係る光伝送モジュールは、上記した構成において、上記第１信号処理部および第２信号処理部それぞれが、外部の基板と電気信号の入出力を行うための電気接続部を備えるように構成されていてもよい。【０２６３】
上記構成によると、光伝送モジュールにおいて第１信号処理部および第２信号処理部それぞれが、上記した電気接続部を備えるため、例えば、外部の配線基板等との接続を容易とすることができ、当該光伝送モジュールをこの外部の配線基板等に簡便に実装できる。【０２６４】
尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する特許請求の範囲内で、異なる実施形態にそれぞれ開示された技術的手段を適宜組み合わせて得られる実施形態についても本発明の技術的範囲に含まれる。
【産業上の利用可能性】
【０２６５】
本発明における光伝送モジュールは、各種機器間の光通信路にも適用可能であるとともに、小型、薄型の民生機器内に搭載される機器内配線としての光配線にも適用可能である。
【図１】
2008126753.tif 000003
【図２】
2008126753.tif 000004
【図３】
2008126753.tif 000005
【図４】
2008126753.tif 000006
【図５】
2008126753.tif 000007
【図６】
2008126753.tif 000008
【図７】
2008126753.tif 000009
【図８】
2008126753.tif 000010
【図９】
2008126753.tif 000011
【図１０】
2008126753.tif 000012
【図１１】
2008126753.tif 000013
【図１２】
2008126753.tif 000014
【図１３】
2008126753.tif 000015
【図１４】
2008126753.tif 000016
【図１５】
2008126753.tif 000017
【図１６】
2008126753.tif 000018
【図１７】
2008126753.tif 000019
【図１８】
2008126753.tif 000020
【図１９】
2008126753.tif 000021
【図２０】
2008126753.tif 000022
【図２１】
2008126753.tif 000023
【図２２】
2008126753.tif 000024
【図２３】
2008126753.tif 000025
【図２４】
2008126753.tif 000026
【図２５】
2008126753.tif 000027
【図２６】
2008126753.tif 000028
【図２７】
2008126753.tif 000029
【図２８】
2008126753.tif 000030
【図２９】
2008126753.tif 000031
【図３０】
2008126753.tif 000032
【図３１】
2008126753.tif 000033
【図３２】
2008126753.tif 000034
【図３３】
2008126753.tif 000035
【図３４】
2008126753.tif 000036
【図３５】
2008126753.tif 000037
【図３６】
2008126753.tif 000038
【図３７】
2008126753.tif 000039
【図３８】
2008126753.tif 000040
【国際調査報告】
2008126753.tif 000041
2008126753.tif 000042
2008126753.tif 000043
2008126753.tif 000044